(57)【要約】  医療デバイスエネルギ源は、エネルギ供給、電力インターフェース、コンピューティングデバイス、ネットワーキングインターフェース、及びデータインターフェースを備えることができる。電力インターフェース及びデータインターフェースは医療デバイスと通信することができ、ネットワーキングインターフェースはデータサーバと通信することができる。エネルギ源は、医療デバイスから識別子コードを受信し、データサーバから医療デバイス識別コードを受信することができる。エネルギ源は、データサーバから追加の医療デバイス情報を受信することができる。エネルギ源は、識別子コードを各識別コードと比較し、識別子コードと識別コードとの比較に基づいてエネルギ供給の機能を制御することができる。エネルギ源は、医療デバイスの使用記録を保持することもできる。医療デバイスシステムは、医療デバイスエネルギ源、医療デバイス、及びデータサーバを含むことができる。
2019528096.tif 000002
【特許請求の範囲】
【請求項１】
医療デバイスエネルギ源であって、
エネルギ源と、
前記エネルギ源から電気エネルギを送達するように構成されたエネルギ源電力インターフェースと、
エネルギ源コンピューティングデバイスと、を備え、前記エネルギ源コンピューティングデバイスが、
エネルギ源プロセッサユニットと、
前記エネルギ源プロセッサユニットと動作可能に通信するエネルギ源メモリ記憶構成要素と、
前記エネルギ源プロセッサユニットと動作可能に通信するエネルギ源ネットワーク通信インターフェースと、
前記エネルギ源プロセッサユニットと動作可能に通信するエネルギ源データインターフェースと、を含み、
前記エネルギ源コンピューティングデバイスは、前記エネルギ源の機能を制御するように構成され、
前記エネルギ源メモリ記憶構成要素は、前記エネルギ源プロセッサユニットによって実行されたとき、前記エネルギ源コンピューティングデバイスに、
前記エネルギ源データインターフェースを介して識別子コードを受信させ、
前記エネルギ源ネットワーク通信インターフェースを介して複数の医療デバイス識別コードを受信させ、
前記識別子コードを前記複数の医療デバイス識別コードの各々と比較させ、
前記識別子コードと前記複数の医療デバイス識別コードの各々との前記比較に基づいて前記エネルギ源の前記機能を制御させる、命令を含む、医療デバイスエネルギ源。
【請求項２】
前記識別子コードは２つの識別子ストリングを含み、前記２つの識別子ストリングの各々がプロセッサ可読文字のストリングを含む、請求項１に記載の医療デバイスエネルギ源。
【請求項３】
前記エネルギ源コンピューティングデバイスに前記識別子コードを前記複数の医療デバイス識別コードの各々と比較させる前記命令は、前記エネルギ源コンピューティングデバイスに前記２つの識別子ストリングの各々と前記医療デバイス識別コードの各々を含む２つの識別ストリングの各々とを比較させる命令を含む、請求項２に記載の医療デバイスエネルギ源。
【請求項４】
前記エネルギ源メモリ記憶構成要素は、前記エネルギ源プロセッサユニットによって実行されたとき、前記エネルギ源コンピューティングデバイスに、前記エネルギ源ネットワーク通信インターフェースを介して複数の医療デバイス状態インジケータを更に受信させる命令を含み、各医療デバイス状態インジケータは、前記複数の医療デバイス識別コードの各々に対応する、請求項１に記載の医療デバイスエネルギ源。
【請求項５】
前記エネルギ源コンピューティングデバイスに前記エネルギ源の前記機能を制御させる前記命令は、前記識別子コードに等しい医療デバイス識別コードに対応する前記医療デバイス状態インジケータに基づいて、前記エネルギ源コンピューティングデバイスに前記エネルギ源の前記機能を制御させる命令を更に含む、請求項４に記載の医療デバイスエネルギ源。
【請求項６】
前記エネルギ源メモリ記憶構成要素は、前記エネルギ源プロセッサユニットによって実行されたときに、前記エネルギ源コンピューティングデバイスに、前記エネルギ源メモリ記憶構成要素内に、
前記エネルギ源によって供給されるエネルギ量に対応する通電値、
前記エネルギ源がある量のエネルギを供給する時間の長さに対応する通電時間値、
前記エネルギ源がある量のエネルギを供給する回数に対応する通電数、
又はそれらの組み合わせ、を更に保持させる命令を含む、請求項１に記載の医療デバイスエネルギ源。
【請求項７】
前記エネルギ源プロセッサユニットと動作可能に通信するユーザディスプレイを更に備える、請求項１に記載の医療デバイスエネルギ源。
【請求項８】
医療デバイスシステムであって、
医療デバイスであって、
識別子コードを記憶するように構成されたデバイスメモリ記憶構成要素、
前記メモリ記憶構成要素と動作可能に接続されたデバイスデータインターフェース、及び
エネルギ源から電力を受信するように構成されたデバイス電力インターフェース、を含む、医療デバイスと、
医療デバイスエネルギ源であって、
前記エネルギ源、
前記デバイス電力インターフェースと動作可能に通信し、電気エネルギを前記エネルギ源から前記医療デバイスに送達するように構成されたエネルギ源電力インターフェース、及び
エネルギ源コンピューティングデバイス、を含み、前記エネルギ源コンピューティングデバイスが、
エネルギ源プロセッサユニット、
前記エネルギ源プロセッサユニットと動作可能に通信するエネルギ源メモリ記憶構成要素、
前記エネルギ源プロセッサユニットと動作可能に通信し、データを通信ネットワークと送受信するように構成された、エネルギ源ネットワーク通信インターフェース、及び
前記デバイスデータインターフェースと動作可能に接続されたエネルギ源データインターフェース、を含み、
前記エネルギ源コンピューティングデバイスが、前記エネルギ源の機能を制御するように構成されている、医療デバイスエネルギ源と、
医療デバイスネットワークサーバであって、
ネットワークサーバプロセッサユニット、
前記ネットワークサーバプロセッサユニットと動作可能に通信し、複数の医療デバイス識別コード及び対応する医療デバイス状態インジケータを含む医療デバイスデータベースを記憶するように構成された、ネットワークサーバメモリ記憶構成要素、並びに
前記ネットワークサーバプロセッサユニットと動作可能に通信し、前記通信ネットワークを介して少なくとも１つの医療デバイス電源とデータを送受信するように構成された、ネットワークサーバ通信インターフェース、を含む、医療デバイスネットワークサーバと、を備え、
前記エネルギ源メモリ記憶構成要素は、前記エネルギ源プロセッサユニットによって実行されたとき、前記エネルギ源コンピューティングデバイスに、
前記デバイスメモリ記憶構成要素から前記識別子コードを受信させ、
前記ネットワークサーバメモリ記憶構成要素から、前記医療デバイスデータベースからの前記複数の医療デバイス識別コードを受信させ、
前記識別子コードを前記複数の医療デバイス識別コードの各々と比較させ、
前記少なくとも１つの識別子コードと前記複数の医療デバイス識別コードとの前記比較に基づいて前記エネルギ源の前記機能を制御させる、命令を含む、医療デバイスシステム。
【請求項９】
前記識別子コードは２つの識別子ストリングを含み、前記２つの識別子ストリングの各々がプロセッサ可読文字のストリングを含み、
前記エネルギ源コンピューティングデバイスに前記識別子コードを前記複数の医療デバイス識別コードの各々と比較させる前記命令は、前記エネルギ源コンピューティングデバイスに前記２つの識別子ストリングの各々と前記医療デバイス識別コードの各々を含む２つの識別ストリングの各々とを比較させる命令を含む、請求項８に記載の医療デバイスシステム。
【請求項１０】
前記エネルギ源メモリ記憶構成要素は、前記エネルギ源プロセッサユニットによって実行されたとき、前記エネルギ源コンピューティングデバイスに、前記エネルギ源ネットワーク通信インターフェースを介して複数の医療デバイス状態インジケータを更に受信させる命令を含み、前記複数の医療デバイス状態インジケータの各々が、前記複数の医療デバイス識別コードの各々に対応し、
前記エネルギ源コンピューティングデバイスに前記エネルギ源の前記機能を制御させる前記命令は、前記エネルギ源コンピューティングデバイスに、前記識別子コードに等しい医療デバイス識別コードに対応する医療デバイス状態インジケータに基づいて、前記エネルギ源の前記機能を制御させる命令を更に含む、請求項８に記載の医療デバイスシステム。
【請求項１１】
前記エネルギ源メモリ記憶構成要素は、前記エネルギ源プロセッサユニットによって実行されたとき、前記エネルギ源コンピューティングデバイスに、前記識別子コードに等しい医療デバイス識別コードに対応する医療デバイス状態インジケータを更新するためのデータを、前記医療デバイスネットワークサーバに送信させる命令を更に含む、請求項８に記載の医療デバイスシステム。
【請求項１２】
前記ネットワークサーバメモリ記憶構成要素は、前記ネットワークサーバプロセッサユニットによって実行されたとき、前記ネットワークサーバプロセッサユニットに、
前記医療デバイスエネルギ源から、前記識別子コードに等しい前記医療デバイス識別コードに対応する医療デバイス状態インジケータを更新するためのデータを受信させ、
前記識別子コードに等しい前記医療デバイス識別コードに対応する前記データベース内の前記状態インジケータを更新させる、命令を含む、請求項１１に記載の医療デバイスシステム。
【請求項１３】
前記医療デバイスデータベースは、前記医療デバイスデータベース内の前記医療デバイス識別コードの各々に対応する１つ以上の追加のインジケータを更に含む、請求項８に記載の医療デバイスシステム。
【請求項１４】
前記エネルギ源メモリ記憶構成要素は、前記エネルギ源プロセッサユニットによって実行されたとき、前記エネルギ源コンピューティングデバイスに、前記エネルギ源メモリ記憶構成要素内に、
全医療デバイスの使用のインジケータ、
前記全医療デバイスの使用の各使用に対する、
前記医療デバイスエネルギ源によって前記医療デバイスに供給される電力量、及び
前記医療デバイスエネルギ源がエネルギの前記量を前記医療デバイスに供給する時間の長さ、のインジケータ、
前記全医療デバイスの使用にわたって前記医療デバイスエネルギ源によって前記医療デバイスに供給される総電力量、
又はそれらの任意の組み合わせ、を記憶させる命令を更に含む、請求項８に記載の医療デバイスシステム。
【請求項１５】
前記エネルギ源メモリ記憶構成要素は、前記エネルギ源プロセッサユニットによって実行されたとき、前記エネルギ源コンピューティングデバイスに、
前記医療デバイスネットワークサーバから、前記医療デバイスデータベース内の前記医療デバイス識別コードの各々に対応する前記１つ以上の追加のインジケータの値を受信させ、
前記識別子コードに等しい前記医療デバイス識別コードに対応する前記１つ以上の前記追加のインジケータの前記値に基づいて前記エネルギ源の前記機能を制御させる、命令を更に含む、請求項１４に記載の医療デバイスシステム。
【請求項１６】
前記ネットワークサーバメモリ記憶構成要素は、前記ネットワークサーバプロセッサユニットによって実行されたとき、前記ネットワークサーバプロセッサユニットに、
前記医療デバイスエネルギ源から、前記医療デバイスデータベース内の前記医療デバイス識別コードの各々に対応する前記１つ以上の追加のインジケータの値を受信させ、
前記医療デバイスデータベース内の前記医療デバイス識別コードの各々に対応する前記１つ以上の追加のインジケータの前記値を更新させる、命令を含む、請求項１４に記載の医療デバイスシステム。
【請求項１７】
医療デバイスを制御する方法であって、
エネルギ源プロセッサユニットと動作可能に通信するエネルギ源データインターフェースを介して医療デバイスエネルギ源によって、医療デバイスからの識別子コードを受信することと、
前記エネルギ源プロセッサユニットと動作可能に通信しているメモリ源メモリ記憶構成要素に、前記医療デバイスエネルギ源によって、前記識別子コードを記憶することと、
前記エネルギ源プロセッサユニットと動作可能に通信するエネルギ源ネットワーク通信インターフェースを介して前記医療デバイスエネルギ源によって、医療デバイスネットワークサーバから複数の医療デバイス識別コードを受信することと、
前記エネルギ源プロセッサユニットによって、前記識別子コードと前記複数の医療デバイス識別コードの各々とを比較することと、
前記エネルギ源プロセッサユニットによって、前記識別子コードと前記複数の医療デバイス識別コードとの間の前記比較に基づいて、エネルギ源電力インターフェースを介して前記エネルギ源によって前記医療デバイスに送達されるエネルギ量を制御することと、
前記エネルギ源プロセッサユニットを含むエネルギ源コンピューティングデバイスによって動作可能に制御されるユーザディスプレイ上に、前記エネルギ源によって前記医療デバイスに送達された前記エネルギ量に対応する情報を表示することと、を含む、方法。
【請求項１８】
前記医療デバイスエネルギ源によって前記医療デバイスに、前記医療デバイスの少なくとも１つの機能を制御するための制御データを送信することを更に含む、請求項１７に記載の方法。
【請求項１９】
前記エネルギ源ネットワーク通信インターフェースを介して前記医療デバイスエネルギ源によって、複数の医療デバイス状態インジケータを受信することを更に含み、前記複数の医療デバイス状態インジケータの各々が前記複数の医療デバイス識別コードの各々に対応する、請求項１７に記載の方法。
【請求項２０】
前記エネルギ源プロセッサユニットによって、前記識別子コードに等しい医療デバイス識別コードに対応する前記医療デバイス状態インジケータに基づいて、前記エネルギ源電力インターフェースを介して前記エネルギ源によって前記医療デバイスに送達されるエネルギ量を制御することを更に含む、請求項１９に記載の方法。
【請求項２１】
前記識別子コードに等しい前記医療デバイス識別コードに対応する前記医療デバイス状態インジケータに基づいて、前記医療デバイスエネルギ源によって前記医療デバイスに、前記医療デバイスの少なくとも１つの機能を制御するための制御データを送信することを更に含む、請求項１９に記載の方法。
【発明の詳細な説明】
【背景技術】
【０００１】
電気外科用デバイスは、治療過程の一部として組織を除去する、収縮させる、又は封止することを含み得る多くの外科手術において使用される。いくつかの例では、電気外科用デバイスは、外科処置を行うために電気エネルギを組織に直接印加することができる。あるいは、電気外科用デバイスは、例えば次いで組織に印加され得る超音波エネルギを生成するために、電気エネルギを他のモードの外科処置のための電力源として使用することができる。電気外科用デバイスは、治療エネルギを処置される組織に導入するように設計された構成要素を備えた、遠位に取り付けられたエンドエフェクタを有する器具を備えることができる。そのようなエンドエフェクタは、２つ又は３つ以上の顎部からなることができ、少なくとも１つの顎部は、組織を受容するために対向する顎部から離間された位置から顎部間の空間が第１の位置のそれより小さい位置まで移動可能である。可動顎部の動きは、間に保持された組織を圧縮することができる。顎部の動きによって達成される圧縮と組み合わせて、エンドエフェクタの構成要素によって送達される治療エネルギは、組織内及び／又は組織間に止血封止を形成することができ、したがって、例えば、血管を封止するために特に有用であり得る。電気外科用デバイスのエンドエフェクタはまた、組織を切断するために組織及び顎部に対して可動である切断部材を備えることができる。
【０００２】
いくつかの電気外科手術デバイスでは、電気エネルギが発生器によって器具に伝達され、電気外科用デバイスによって処置中の組織に直接印加することができる。電気エネルギは、無線周波数（radio frequency、「ＲＦ」）エネルギの形態であることができる。いくつかの例では、電気エネルギは、ＥＮ６０６０１−２−２：２００９＋Ａ１１：２０に記載されている周波数範囲内にあり得る無線周波数（「ＲＦ」）エネルギの形態であることができる。いくつかの用途では、印加エネルギは５ＭＨｚ未満に制限された周波数を有することができる。通常、５ＭＨｚ超の周波数は、高周波数漏洩電流に関連付けられる問題を最小限に抑えるために使用されない。１０ｍＡが組織に対する熱的影響の下限閾値であることが一般に認識されている。ＲＦエネルギは、電源によって供給され、２つ又は３つ以上の顎部間で圧縮された組織に導入することができる。そのようなＲＦエネルギは、組織内でイオン撹拌を引き起こし、実際には抵抗加熱を生じ、それによって組織の温度を上昇させることができる。組織の温度の上昇は、組織焼灼をもたらし得る。いくつかの外科手術では、ＲＦエネルギは、同時に血管を封止しながら、軟組織を除去、収縮、又は削るのに有用であり得る。
【０００３】
他の電気外科用デバイスは、電気エネルギを他のモードの外科処置のための電源として使用することができ、例えば、次いで組織に印加することができる超音波エネルギを生成する。超音波外科用器具は、多くの病状に対する安全かつ有効な処置のために使用することができる。一般に、超音波外科用器具は、例えば超音波振動、すなわち超音波周波数で外科用エンドエフェクタに伝達される機械的振動の形態のエネルギを使用して、有機組織を切断及び／又は凝固させるのに使用することができる。これらの超音波振動は、適切なエネルギレベルで適切なエンドエフェクタを使用して有機組織に伝達されると、組織を切断及び／又は凝固させるのに使用することができる。そのような器具は、例えば医療デバイスのエンドエフェクタがトロカールを通過して外科部位に到達する、内視鏡手術又は腹腔鏡手術などの開腹手術又は低侵襲手術に使用することができる。
【０００４】
電気外科用デバイスに供給される電気エネルギの適切な制御は、デバイスの安全かつ効果的な動作にとって重要であることが認識されよう。
【発明の概要】
【発明が解決しようとする課題】
【０００５】
したがって、安全で効果的な治療結果を促進するために、医療デバイスエネルギ源が適切な量の電気エネルギを電気外科用デバイスに供給することが望ましい。例えば、適切な量の電気エネルギは、電気外科用デバイスのタイプ及びその使用履歴に依存することができる。
【課題を解決するための手段】
【０００６】
一態様では、医療デバイスエネルギ源は、エネルギ源と、エネルギ源から電気エネルギを送達するように構成されたエネルギ源電力インターフェースと、エネルギ源コンピューティングデバイスと、から構成することができる。エネルギ源コンピューティングデバイスは、エネルギ源プロセッサユニットと、エネルギ源プロセッサユニットと動作可能に通信するエネルギ源メモリ記憶構成要素と、エネルギ源プロセッサユニットと動作可能に通信するエネルギ源ネットワーク通信インターフェースと、エネルギ源プロセッサユニットと動作可能に通信するエネルギ源データインターフェースと、から更に構成することができる。エネルギ源コンピューティングデバイスは、エネルギ源の機能を制御するように構成することができる。更に、エネルギ源メモリ記憶構成要素は、エネルギ源プロセッサユニットによって実行されたとき、エネルギ源コンピューティングデバイスに、エネルギ源データインターフェースを介して識別子コードを受信させ、エネルギ源ネットワーク通信インターフェースを介して複数の医療デバイス識別コードを受信させ、識別子コードを複数の医療デバイス識別コードの各々と比較させ、識別子コードと複数の医療デバイス識別コードの各々との比較に基づいてエネルギ源の機能を制御させ得る、命令を含むことができる。
【０００７】
医療デバイスエネルギ源の一態様では、識別子コードは２つの識別子ストリングから構成することができ、その各々がプロセッサ可読文字のストリングを含むことができる。
【０００８】
医療デバイスエネルギ源の一態様では、エネルギ源コンピューティングデバイスに識別子コードを複数の医療デバイス識別コードの各々と比較させる命令は、エネルギ源コンピューティングデバイスに２つの識別子ストリングの各々と医療デバイス識別コードの各々を含む２つの識別ストリングの各々とを比較させる命令を含むことができる。
【０００９】
医療デバイスエネルギ源の一態様では、エネルギ源メモリ記憶構成要素は、エネルギ源プロセッサユニットによって実行されたとき、エネルギ源コンピューティングデバイスに、エネルギ源ネットワーク通信インターフェースを介して複数の医療デバイス状態インジケータを更に受信させる命令を含むことができ、各医療デバイス状態インジケータは、複数の医療デバイス識別コードの各々に対応する。
【００１０】
医療デバイスエネルギ源の一態様では、エネルギ源コンピューティングデバイスにエネルギ源の機能を制御させる命令は、識別子コードに等しい医療デバイス識別コードに対応する医療デバイス状態インジケータに基づいて、エネルギ源コンピューティングデバイスにエネルギ源の機能を制御させる命令を更に含む。
【００１１】
医療デバイスエネルギ源の一態様では、エネルギ源メモリ記憶構成要素は、エネルギ源プロセッサユニットによって実行されたときに、エネルギ源コンピューティングデバイスに、エネルギ源メモリ記憶構成要素内に、エネルギ源によって供給されるエネルギ量に対応する通電値、エネルギ源がある量のエネルギを供給する時間の長さに対応する通電時間値、エネルギ源がある量のエネルギを供給する回数に対応する通電数、又はそれらの組み合わせ、を更に保持させる、命令を含むことができる。
【００１２】
一態様では、医療デバイスエネルギ源は、エネルギ源プロセッサユニットと動作可能に通信するユーザディスプレイを更に含むことができる。
【００１３】
一態様では、医療デバイスシステムは、医療デバイス、医療デバイスエネルギ源、及び医療デバイスネットワークサーバから構成することができる。医療デバイスは、識別子コードを記憶するように構成されたデバイスメモリ記憶構成要素と、メモリ記憶構成要素と動作可能に接続されたデバイスデータインターフェースと、エネルギ源から電力を受信するように構成されたデバイス電力インターフェースと、から構成することができる。医療デバイスエネルギ源は、エネルギ源と、デバイス電力インターフェースと動作可能に通信し、電気エネルギをエネルギ源から医療デバイスに送達するように構成されたエネルギ源電力インターフェースと、エネルギ源コンピューティングデバイスと、から構成することができる。エネルギ源コンピューティングデバイスは、エネルギ源プロセッサユニットと、エネルギ源プロセッサユニットと動作可能に通信するエネルギ源メモリ記憶構成要素と、エネルギ源プロセッサユニットと動作可能に通信し、データを通信ネットワークと送受信するように構成された、エネルギ源ネットワーク通信インターフェースと、デバイスデータインターフェースと動作可能に接続されたエネルギ源データインターフェースと、から更に構成することができ、エネルギ源コンピューティングデバイスは、エネルギ源の機能を制御するように構成することができる。医療デバイスネットワークサーバは、ネットワークサーバプロセッサユニットと、ネットワークサーバプロセッサユニットと動作可能に通信し、複数の医療デバイス識別コード及び対応する医療デバイス状態インジケータを含む医療デバイスデータベースを記憶するように構成された、ネットワークサーバメモリ記憶構成要素と、ネットワークサーバプロセッサユニットと動作可能に通信し、通信ネットワークを介して少なくとも１つの医療デバイス電源とデータを送受信するように構成された、ネットワークサーバ通信インターフェースと、から構成することができる。この態様では、エネルギ源メモリ記憶構成要素は、エネルギ源プロセッサユニットによって実行されたとき、エネルギ源コンピューティングデバイスに、デバイスメモリ記憶構成要素から識別子コードを受信させ、ネットワークサーバメモリ記憶構成要素から、医療デバイスデータベースからの複数の医療デバイス識別コードを受信させ、識別子コードを複数の医療デバイス識別コードの各々と比較させ、少なくとも１つの識別子コードと複数の医療デバイス識別コードとの比較に基づいてエネルギ源の機能を制御させる、命令を含むことができる。
【００１４】
医療デバイスシステムの一態様では、識別子コードは２つの識別子ストリングから構成することができ、その各々がプロセッサ可読文字のストリングを含むことができる。この態様では、エネルギ源コンピューティングデバイスに識別子コードを複数の医療デバイス識別コードの各々と比較させる命令は、エネルギ源コンピューティングデバイスに２つの識別子ストリングの各々と医療デバイス識別コードの各々を含む２つの識別ストリングの各々とを比較させる命令を含む。
【００１５】
医療デバイスシステムの一態様では、エネルギ源メモリ記憶構成要素は、エネルギ源プロセッサユニットによって実行されたとき、エネルギ源コンピューティングデバイスに、エネルギ源ネットワーク通信インターフェースを介して複数の医療デバイス状態インジケータを更に受信させる命令を含むことができ、複数の医療デバイス状態インジケータの各々が、複数の医療デバイス識別コードの各々に対応する。更に、エネルギ源コンピューティングデバイスにエネルギ源の機能を制御させる命令は、エネルギ源コンピューティングデバイスに、識別子コードに等しい医療デバイス識別コードに対応する医療デバイス状態インジケータに基づいて、エネルギ源の機能を制御させる命令を更に含む。
【００１６】
医療デバイスシステムの一態様では、エネルギ源メモリ記憶構成要素は、エネルギ源プロセッサユニットによって実行されたとき、エネルギ源コンピューティングデバイスに、識別子コードに等しい医療デバイス識別コードに対応する医療デバイス状態インジケータを更新するためのデータを、医療デバイスネットワークサーバに送信させる命令を更に含むことができる。
【００１７】
医療デバイスシステムの一態様では、ネットワークサーバメモリ記憶構成要素は、ネットワークサーバプロセッサユニットによって実行されたとき、ネットワークサーバプロセッサユニットに、医療デバイスエネルギ源から、識別子コードに等しい医療デバイス識別コードに対応する医療デバイス状態インジケータを更新するためのデータを受信させ、識別子コードに等しい医療デバイス識別コードに対応するデータベース内の状態インジケータを更新させる、命令を含むことができる。
【００１８】
医療デバイスシステムの一態様では、医療デバイスデータベースは、医療デバイスデータベース内の医療デバイス識別コードの各々に対応する１つ又は２つ以上の追加のインジケータを更に含むことができる。
【００１９】
医療デバイスシステムの一態様では、エネルエネルギ源メモリ記憶構成要素は、エネルギ源プロセッサユニットによって実行されたとき、エネルギ源コンピューティングデバイスに、エネルギ源メモリ記憶構成要素内に、全医療デバイスの使用のインジケータと、全医療デバイスの使用にわたって医療デバイスエネルギ源によって医療デバイスに供給される総電力量と、を記憶させる命令を更に含むことができる。エネルギ源メモリ記憶構成要素は、エネルギ源プロセッサユニットによって実行されたとき、エネルギ源コンピューティングデバイスに、エネルギ源メモリ記憶構成要素内に、全医療デバイスの使用の各使用に対する、医療デバイスエネルギ源によって医療デバイスに供給される電力量、及び医療デバイスエネルギ源がエネルギの量を医療デバイスに供給する時間の長さ、のインジケータ、を記憶させる命令を、更に含むことができる。
【００２０】
医療デバイスシステムの一態様では、エネルギ源メモリ記憶構成要素は、エネルギ源プロセッサユニットによって実行されたとき、エネルギ源コンピューティングデバイスに、医療デバイスネットワークサーバから、医療デバイスデータベース内の医療デバイス識別コードの各々に対応する１つ又は２つ以上の追加のインジケータの値を受信させ、識別子コードに等しい医療デバイス識別コードに対応する１つ又は２つ以上の追加のインジケータの値に基づいてエネルギ源の機能を制御させる、命令を更に含むことができる。
【００２１】
医療デバイスシステムの一態様では、ネットワークサーバメモリ記憶構成要素は、ネットワークサーバプロセッサユニットによって実行されたとき、ネットワークサーバプロセッサユニットに、医療デバイスエネルギ源から、医療デバイスデータベース内の医療デバイス識別コードの各々に対応する１つ又は２つ以上の追加のインジケータの値を受信させ、医療デバイスデータベース内の医療デバイス識別コードの各々に対応する１つ又は２つ以上の追加のインジケータの値を更新させる、命令を含むことができる。
【００２２】
一態様では、医療デバイスを制御する方法は、エネルギ源プロセッサユニットと動作可能に通信するエネルギ源データインターフェースを介して医療デバイスエネルギ源によって、医療デバイスからの識別子コードを受信することと、エネルギ源プロセッサユニットと動作可能に通信しているメモリ源メモリ記憶構成要素に、医療デバイスエネルギ源によって、識別子コードを記憶することと、エネルギ源プロセッサユニットと動作可能に通信するエネルギ源ネットワーク通信インターフェースを介して医療デバイスエネルギ源によって、医療デバイスネットワークサーバから複数の医療デバイス識別コードを受信することと、エネルギ源プロセッサユニットによって、識別子コードと複数の医療デバイス識別コードの各々とを比較することと、エネルギ源プロセッサユニットによって、識別子コードと複数の医療デバイス識別コードとの間の比較に基づいて、エネルギ源電力インターフェースを介してエネルギ源によって医療デバイスに送達されるエネルギ量を制御することと、エネルギ源プロセッサユニットを備えるエネルギ源コンピューティングデバイスによって動作可能に制御されるユーザディスプレイ上に、エネルギ源によって医療デバイスに送達されたエネルギ量に対応する情報を表示することと、を含むことができる。
【００２３】
一態様では、その方法は、医療デバイスエネルギ源によって医療デバイスに、医療デバイスのうちの少なくとも１つの機能を制御するための制御データを送信することを更に含むことができる。
【００２４】
一態様では、その方法は、エネルギ源ネットワーク通信インターフェースを介して医療デバイスエネルギ源によって複数の医療デバイス状態インジケータを受信することを更に含むことができ、複数の医療デバイス状態インジケータの各々が複数の医療デバイス識別コードの各々に対応する。
【００２５】
一態様では、その方法は、エネルギ源プロセッサユニットによって、識別子コードに等しい医療デバイス識別コードに対応する医療デバイス状態インジケータに基づいて、エネルギ源電力インターフェースを介してエネルギ源によって医療デバイスに送達されるエネルギ量を制御することを、更に含むことができる。
【００２６】
一態様では、識別子コードに等しい医療デバイス識別コードに対応する医療デバイス状態インジケータに基づいて、医療デバイスエネルギ源によって医療デバイスに、医療デバイスの少なくとも１つの機能を制御するための制御データを送信することを、更に含むことができる。
【図面の簡単な説明】
【００２７】
様々な態様の特徴が、添付の特許請求の範囲で詳細に記載されている。しかしながら、それらの様々な態様は、その機構と操作方法のいずれに関しても、それらの利点と共に、以下の説明文を添付図面と併せて参照することで最良に理解され得る。
【図１Ａ】発生器及びそれと共に使用可能な様々な外科用器具を含む外科用システムの一形態を示す。
【図１Ｂ】図１の超音波外科用器具の図である。
【図１Ｃ】図１の外科用システムの図である。
【図２】医療デバイスシステムの一例のブロック図を示す。
【図３Ａ】図２に示す医療デバイスシステムの構成要素であり得る医療デバイスの例のブロック図を示す。
【図３Ｂ】図２に示す医療デバイスシステムの構成要素であり得る医療デバイスの例のブロック図を示す。
【図４Ａ】図２に示す医療デバイスシステムの構成要素であり得る医療デバイスエネルギ源の例のブロック図を示す。
【図４Ｂ】図２に示す医療デバイスシステムの構成要素であり得る医療デバイスエネルギ源の例のブロック図を示す。
【図５】図２に示す医療デバイスシステムの構成要素であり得る医療デバイスネットワークサーバの一例のブロック図を示す。
【図６Ａ】図５に示す医療デバイスネットワークサーバのメモリ構成要素に記憶し得るデータベース内のデータ構造の例を示す。
【図６Ｂ】図５に示す医療デバイスネットワークサーバのメモリ構成要素に記憶し得るデータベース内のデータ構造の例を示す。
【図６Ｃ】図５に示す医療デバイスネットワークサーバのメモリ構成要素に記憶し得るデータベース内のデータ構造の例を示す。
【図６Ｄ】図５に示す医療デバイスネットワークサーバのメモリ構成要素に記憶し得るデータベース内のデータ構造の例を示す。
【図７Ａ】図２に示す医療デバイスシステムで使用するための医療デバイスをプログラミングすることを示す簡易フローチャートである。
【図７Ｂ】図２に示す医療デバイスシステムで使用するための医療デバイスをプログラミングすることを示す簡易フローチャートである。
【図８Ａ】図２に示す医療デバイスシステムの一部である医療デバイスの使用を示す簡易フローチャートである。
【図８Ｂ】図２に示す医療デバイスシステムの一部である医療デバイスの使用を示す簡易フローチャートである。
【発明を実施するための形態】
【００２８】
ここで、組織を切断し凝固させるための電気外科用医療器具の例示的な実施形態を含むいくつかの態様について詳細に言及する。可能である場合は、類似又は同様の参照番号を図面で用いてよく、類似又は同様の機能性を示してよい。図面は、例示目的のためだけに、開示された外科用器具及び／又は使用方法の例を示す。当業者であれば、本明細書に記載の原理から逸脱することなく、本明細書に例示した構造及び方法の代替例を採用できることを以下の説明から容易に理解するであろう。
【００２９】
組織を処置するために又は発生器にフィードバックを提供するために、処置用及び／又は処置量以下の電気エネルギを利用する外科用器具（例えば、電気外科用器具）の様々な態様。様々な実施態様が手動又は手で操作する方法での使用に適合されているが、電気外科用器具はロボット用途に利用することもできる。
【００３０】
図１Ａ〜図１Ｃを参照すると、超音波外科用器具を含む外科用システム１０の一形態が図示されている。図１Ａは、発生器１００２及びそれと共に使用可能な様々な外科用器具１００４、１００６、１２０２を含む外科用システム１０の一形態を示す。図１Ｂは、図１Ａの超音波外科用器具１００４の図である。図１Ａ及び図１Ｂの両方を参照すると、発生器１００２は様々な外科用デバイスと共に使用するように構成可能である。様々な形態によれば、発生器１００２は、例えば、超音波デバイス１００４、ＲＦデバイス１００６などの電気外科用又はＲＦ外科用デバイス、並びに発生器１００２から同時に送達される電気外科用ＲＦ及び超音波エネルギを一体化する多機能デバイス１２０２、を含む異なるタイプの異なる外科用デバイスと共に使用するように構成可能であることができる。図１Ａの形態では、発生器１００２は一形態で外科用デバイス１００４、１００６、１２０２とは別に示されているが、発生器１００２は外科用デバイス１００４、１００６、１２０２のいずれかと一体的に形成されて単一の外科用システムを形成することができる。発生器１００２は、発生器１００２コンソールの前面パネルに配置された入力デバイス１０４５を備える。入力デバイス１０４５は、発生器１００２の動作をプログラミングするのに適した信号を生成する任意の適切なデバイスを含むことができる。
【００３１】
図１Ｃは、図１Ａの外科用システム１０の図である。様々な形態では、発生器１００２は、モジュール及び／又はブロックなどの複数の別個の機能素子を含むことができる。異なる機能素子又はモジュールを、異なる種類の外科用デバイス１００４、１００６、１２０２を駆動するのに構成することができる。例えば、超音波発生器モジュール１００８は、超音波デバイス１００４などの超音波デバイスを駆動することができる。電気外科／ＲＦ発生器モジュール１０１０は、電気外科用デバイス１００６を駆動することができる。例えば、それぞれのモジュール１００８、１０１０は、外科用デバイス１００４、１００６、１２０２を駆動するために、対応する駆動信号を生成することができる。様々な形態では、超音波発生器モジュール１００８及び／又は電気外科／ＲＦ発生器モジュール１０１０の各々が、発生器１００２と一体的に形成されてもよい。あるいは、モジュール１００８、１０１０のうちの１つ又は２つ以上が、発生器１００２と電気的に結合された別個の回路モジュールとして提供されてもよい。（モジュール１００８及び１０１０は、この選択肢を例示するために仮想線で示されている。）また、いくつかの形態では、電気外科／ＲＦ発生器モジュール１０１０は、超音波発生器モジュール１００８と一体的に形成されてもよいし、又はその逆であってもよい。また、いくつかの形態では、発生器１００２は完全に省略されてもよく、モジュール１００８、１０１０は、それぞれの器具１００４、１００６、１２０２内のプロセッサ又は他のハードウェアによって実行されてもよい。
【００３２】
他の形態では、超音波発生器モジュール１００８及び電気外科／ＲＦ発生器モジュール１０１０の電気出力は、多機能デバイス１２０２を、電気外科用ＲＦ及び超音波エネルギと同時に駆動することができる単一の電気信号と組み合わせることができる。多機能デバイス１２０２は、超音波ブレードに結合された１０１４及び電気外科用ＲＦエネルギを受信するためのエンドエフェクタ１０３２内の１つ又は２つ以上の電極を備える。そのような実装では、組み合わされたＲＦ／超音波信号は、多機能デバイス１２０２に結合される。多機能デバイス１２０２は、信号処理構成要素を備えて組み合わされたＲＦ／超音波信号を分割し、ＲＦ信号をエンドエフェクタ１０３２内の電極に送達することができるようにし、超音波信号を超音波トランスデューサ１０１４に送達することができるようにする。
【００３３】
記載された形態によれば、超音波発生器モジュール１００８は、特定の電圧、電流、及び例えば、毎秒５５，５００サイクル（Ｈｚ）の周波数の駆動信号（複数可）を生成することができる。駆動信号（複数可）は、超音波デバイス１００４に、具体的には、例えば、上記のように動作し得るトランスデューサ１０１４に、提供することができる。トランスデューサ１０１４及びシャフトを通って延びる導波管（導波管は図１Ｂには示さず）は、エンドエフェクタ１０２６の超音波ブレード１０１７を駆動する超音波駆動システムを集合的に形成することができる。一形態では、発生器１００２は、特定の電圧、電流、及び／又は周波数出力信号の駆動信号を生成するように構成することができ、これは、高い分解能、正確さ、及び再現性で段階的であるか又は他の方法で修正することができる。
【００３４】
発生器１００２は、駆動信号を任意の好適な方法でトランスデューサ１０１４に提供するように起動することができる。例えば、発生器１００２は、フットスイッチケーブル１０２２を介して発生器１００２に結合されたフットスイッチ１０２０を備えることができる。臨床医は、フットスイッチ１０２０を押圧することによって、トランスデューサ１０１４を起動することができる。フットスイッチ１０２０に加えて、又はその代わりに、超音波デバイス１００４のいくつかの形態は、ハンドピース上に配置された１つ又は２つ以上のスイッチを使用してもよく、これは、起動されると、発生器１００２にトランスデューサ１０１４を作動させることができる。一形態では、例えば、１つ又は２つ以上のスイッチは、例えば、デバイス１００４の動作モードを決定するために、トグルボタン１０３６ａ、１０３６ｂ（図１Ｂ）のペアを含むことができる。トグルボタン１０３６ａが押圧されると、例えば、超音波発生器１００２は、トランスデューサ１０１４に最大駆動信号を提供して、これに最大超音波エネルギ出力を生成させることができる。トグルボタン１０３６ｂを押圧することにより、超音波発生器１００２がトランスデューサ１０１４にユーザ選択可能な駆動信号を提供して、それに最大未満の超音波エネルギ出力を生成させることができる。デバイス１００４は、更に又はあるいは、第２のスイッチ（図示せず）を備えることができ、例えば、エンドエフェクタ１０２６の顎部を動作させるための顎部閉鎖トリガの位置を表示することができる。また、いくつかの形態では、超音波発生器１００２は、顎部閉鎖トリガの位置に基づいて起動することができる（例えば、臨床医がジョー閉鎖トリガを押圧して顎部を閉じると、超音波エネルギが印加され得る）。
【００３５】
更に、又はあるいは、１つ又は２つ以上のスイッチがトグルボタン１０３６ｃを含むことができ、これが押圧されると、発生器１００２にパルス状出力を提供させる。パルスは、例えば、任意の好適な周波数及び分類で提供されてもよい。特定の形態では、パルスの電力レベルは、例えば、トグルボタン１０３６ａ、１０３６ｂと関連付けられた電力レベル（最大、最大未満）であることができる。
【００３６】
デバイス１００４は、トグルボタン１０３６ａ、１０３６ｂ、１０３６ｃの任意の組み合わせを含み得ることが理解されよう。例えば、デバイス１００４は、２つのトグルボタンのみを有するように構成することができる：最大超音波エネルギを生成するためのトグルボタン１０３６ａ、及び最大又は最大未満の電力レベルのいずれかでパルス状出力を生成するトグルボタン１０３６ｃ。このようにして、発生器１００２の駆動信号出力構成は、５つの連続信号及び、５つ又は４つ又は３つ又は２つ又は１つのパルス状信号であることができる。特定の形態では、特定の駆動信号構成は、例えば、発生器１００２におけるＥＥＰＲＯＭ設定及び／又はユーザ電力レベル選択（複数可）に基づいて制御することができる。
【００３７】
特定の形態では、トグルボタン特定の形態では、トグルボタン１０３６ｃの代わりに２位置スイッチを設けてもよい。例えば、デバイス１００４は、最大電力レベルで連続的な出力を生成するためのトグルボタン１０３６ａ及び２位置トグルボタン１０３６ｂを含むことができる。第１の戻り止め位置では、トグルボタン１０３６ｂは、最大未満の電力レベルで連続的な出力を生成することができ、第２の戻り止め位置では、トグルボタン１０３６ｂは、（例えば、ＥＥＰＲＯＭ設定値に応じて、最大電力レベル又は最大未満の電力レベルのいずれかで）パルス状出力を生成することができる。
【００３８】
記載した形態によれば、電気外科／ＲＦ発生器モジュール１０１０は、無線周波数（ＲＦ）エネルギを使用して、双極電気外科を行うために十分な出力電力で駆動信号（単数又は複数）を生成することができる。双極電気外科用途では、例えば、駆動信号は、例えば電気外科用デバイス１００６の電極へ提供されてもよい。したがって、発生器１００２は、組織を処置（例えば、凝固、焼灼、組織融合）するために十分な電気エネルギを組織に印加することによって、治療目的で構成することができる。
【００３９】
発生器１００２は、例えば、発生器１００２のコンソールの前側パネル上に配置された入力デバイス１０４５（図１Ａ）を備えることができる。入力デバイス１０４５は、発生器１００２の動作をプログラミングするのに適した信号を生成する任意の適切なデバイスを含むことができる。動作中、ユーザは、入力デバイス１０４５使用して発生器１００２の動作をプログラムするか、又は他の方法で制御することができる。入力デバイス１０４５は、発生器１００２の動作（例えば、超音波発生器モジュール１００８及び／又は電気外科／ＲＦ発生器モジュール１０１０の動作）を制御するために、発生器によって（例えば、発生器内に収容された１つ又は２つ以上のプロセッサによって）使用され得る信号を生成する、任意の好適なデバイスを含むことができる。様々な形態では、入力デバイス１０４５は、汎用又は専用のコンピュータへのボタン、スイッチ、サムホイール、キーボード、キーパッド、タッチスクリーンモニタ、ポインティングデバイス、リモート接続のうちの１つ又は２つ以上を含む。他の形態では、入力デバイス１０４５は、例えば、タッチスクリーンモニタ上に表示される１つ又は２つ以上のユーザインターフェーススクリーンなどの好適なユーザインターフェースを含むことができる。したがって、入力デバイス１０４５により、ユーザは、例えば、超音波発生器モジュール１００８及び／又は電気外科／ＲＦ発生器モジュール１０１０によって生成される駆動信号（複数可）の、電流（Ｉ）、電圧（Ｖ）、周波数（ｆ）、及び／又は期間（Ｔ）などの、発生器の様々な動作パラメータを設定又はプログラミングすることができる。
【００４０】
発生器１００２は、例えば、発生器１００２のコンソールの前面パネル上に配置された出力インジケータなどの出力デバイス１０４７（図１Ａ）を備えることもできる。出力デバイス１０４７は、ユーザに感覚的フィードバックを提供するための１つ又は２つ以上のデバイスを含む。そのようなデバイスは、例えば、視覚的フィードバックデバイス（例えば、視覚的フィードバックデバイスは、白熱ランプ、発光ダイオード（light emitting diode、ＬＥＤ）、グラフィカル・ユーザー・インターフェース、ディスプレイ、アナログインジケータ、デジタルインジケータ、棒グラフ表示、デジタル文字数字表示、液晶ディスプレイ表示スクリーン、ＬＥＤインジケータを含み得る）、可聴フィードバックデバイス（例えば、可聴フィードバックデバイスは、スピーカ、ブザー、可聴式のコンピュータで生成されたトーン、コンピュータ化されたスピーチ、音声／スピーチプラットフォームを介してコンピュータと相互作用するためのボイスユーザーインターフェース（voice user interface、ＶＵＩ）を含み得る）、又は触覚的フィードバックデバイス（例えば、触覚的フィードバックデバイスは、任意のタイプの振動フィードバック、触覚アクチュエータを含む）を含み得る。
【００４１】
発生器１００２の特定のモジュール及び／又はブロックが例として記載され得るが、より多くの又はより少ない数のモジュール及び／又はブロックが使用されてもよく、それらは依然として形態の範囲内にあることが理解できる。更に、説明を容易にするために、モジュール及び／又はブロックに関して様々な形態が記載され得るが、そのようなモジュール及び／又はブロックは、１つ又は２つ以上のハードウェア構成要素、例えば、プロセッサ、デジタル信号プロセッサ（Digital Signal Processor、ＤＳＰ）、プログラマブル論理デバイス（Programmable Logic Device、ＰＬＤ）、特定用途向け集積回路（Application Specific Integrated Circuit、ＡＳＩＣ）、回路、レジスタ及び／又はソフトウェア構成要素、例えば、プログラム、サブルーチン、論理及び／又はハードウェア構成要素とソフトウェア構成要素との組み合わせによって実装されてもよい。また、いくつかの形態では、本明細書に記載する様々なモジュールは、器具１００４、１００６、１２０２内に配置された類似のハードウェアを利用して実施されてもよい（すなわち、発生器１００２は省略されてもよい）。
【００４２】
一形態では、超音波発生器駆動モジュール１００８及び電気外科／ＲＦ駆動モジュール１０１０は、ファームウェア、ソフトウェア、ハードウェア又はそれらの任意の組み合わせとして実装される１つ又は２つ以上の内蔵型アプリケーションを含んでもよい。モジュール１００８、１０１０は、ソフトウェア、プログラム、データ、ドライバ、アプリケーションプログラムインターフェース（application program interface、ＡＰＩ）などの様々な実行可能なモジュールを備えることができる。ファームウェアは、ビットマスクされた読み出し専用メモリ（read-only memory、ＲＯＭ）又はフラッシュメモリのような不揮発性メモリ（nonvolatile memory、ＮＶＭ）に記憶することができる。様々な実現形態では、ファームウェアをＲＯＭに記憶することにより、フラッシュメモリが保存され得る。ＮＶＭは、例えば、プログラミング可能ＲＯＭ（programmable ROM、ＰＲＯＭ）、消去可能なプログラミング可能ＲＯＭ（erasable programmable ROM、ＥＰＲＯＭ）、電気的に消去可能なプログラミング可能ＲＯＭ（electrically erasable programmable ROM、ＥＥＰＲＯＭ）、又はダイナミックＲＡＭ（dynamic RAM、DRAM）、ダブルデータレートＤＲＡＭ（Double-Data-Rate DRAM、ＤＤＲＡＭ）、及び／若しくは同期ＤＲＡＭ（synchronous DRAM、ＳＤＲＡＭ）のような電池バックアップ式ランダムアクセスメモリ（random-access memory、ＲＡＭ）を含む、他のタイプのメモリを含んでもよい。
【００４３】
一形態では、モジュール１００８、１０１０は、デバイス１００４、１００６、１２０２の様々な測定可能な特性を監視し、デバイス１００４、１００６、１２０２を動作させるための対応する出力制御信号を、するためのプログラム命令を実行するために、プロセッサとして実装されるハードウェア構成要素を備える。発生器１００２がデバイス１００４と共に使用される形態では、出力制御信号は、切断及び／又は凝固動作モードで超音波トランスデューサ１０１４を駆動することができる。デバイス１００４及び／又は組織の電気的特性は、発生器１００２の動作態様を制御するために測定及び使用され、及び／又はユーザにフィードバックとして提供されてもよい。発生器１００２がデバイス１００６と共に使用される形態では、出力制御信号は、切断、凝固及び／又は乾燥モードでエンドエフェクタ１０３２に電気エネルギ（例えば、ＲＦエネルギ）を供給することができる。デバイス１００６及び／又は組織の電気的特性は、発生器１００２の動作態様を制御するために測定及び使用され、及び／又はユーザにフィードバックとして提供することができる。様々な形態では、前述のように、ハードウェア構成要素は、ＤＳＰ、ＰＬＤ、ＡＳＩＣ、回路及び／又はレジスタとして実装されてもよい。一形態では、プロセッサは、超音波トランスデューサ１０１４及びエンドエフェクタ１０２６、１０３２などの、デバイス１００４、１００６、１２０２の様々な構成要素を駆動するためのステップ関数出力信号を生成するための、コンピュータソフトウェアプログラム命令を記憶し実行するように構成することができる。
【００４４】
図２は、電気外科用医療デバイス２１０及び医療デバイスエネルギ源２２０を含み得る医療デバイスシステム２００を示す。医療デバイス医療デバイス２１０は、ハンドヘルド構成要素２１６、エンドエフェクタ２１２、及び導入器又は細長いシャフト２１４を含むことができる。医療デバイス２１０は、データインターフェース２１８及び電源インターフェース２１７も含むことができる。医療デバイスエネルギ源２２０は、エネルギ源電力インターフェース２２６及びエネルギ源データインターフェース２２４を含む相補的インターフェースも含むことができる。
【００４５】
エネルギ源電力インターフェース２２６は、電気エネルギをデバイス電力インターフェース２１７に供給するように構成することができる。いくつかの非限定的な例では、電気エネルギは、電力ケーブル２４４によって医療デバイスエネルギ源２２０から医療デバイス２１０に送信することができる。更に、エネルギ源データインターフェース２２４は、デバイスデータインターフェース２１８にデータを送受信するように構成されてもよい。そのようなデータは、１つ又は２つ以上の医療デバイス機能を制御するために医療デバイス２１０によって使用することができる。あるいは、医療デバイス２１０からのデータは、デバイスデータインターフェース２１８からエネルギ源データインターフェース２２４に送信されてもよい。医療デバイス２１０からのデータは、１つ又は２つ以上のエネルギ源機能を制御するために、エネルギ源２２０によって記憶されてもよく、又はエネルギ源２２０によって使用されてもよい。いくつかの非限定的な例では、医療デバイスエネルギ源２２０から医療デバイス２１０へ、又は医療デバイス２１０によってエネルギ源２２０へ、送信されるデータは、データケーブル２４２によって達成することができる。
【００４６】
いくつかの非限定的な例では、医療デバイスデータインターフェース２１８及びエネルギ源データインターフェース２２４は無線インターフェースを含むことができる。そのような無線インターフェースは、エネルギ源２２０と医療デバイス２１０との間でデータを交換するためのデータケーブル２４２を必要としない場合がある。
【００４７】
いくつかの非限定的な例では、医療デバイスデータインターフェース２１８及び医療デバイス電力インターフェース２１７は、単一の医療デバイスインターフェースに併合することができる。同様に、エネルギ源電力インターフェース２２６及びエネルギ源データインターフェース２２４は単一のエネルギ源インターフェースに併合することができる。そのような例では、単一の電力／データケーブルが電気エネルギとデータの両方を送信することが可能であり得る。
【００４８】
医療デバイスシステム２００は、ネットワークサーバ通信インターフェース２３２を有する医療デバイスネットワークサーバ２３０も含むことができる。医療デバイスネットワークサーバ２３０は、医療デバイス２１０、エネルギ源２２０、及びそれらのそれぞれの機能に関する情報の１つ又は２つ以上のデータベースを記憶することができる。医療デバイスネットワークサーバ２３０は、ネットワークサーバ通信インターフェース２３２及びエネルギ源ネットワーク通信インターフェース２２８を介してエネルギ源２２０とデータ通信することができる。医療デバイスネットワークサーバ２３０とエネルギ源２２０との間のデータ通信２４６は、任意の標準的なデータ交換方法を介して行うことができる。したがって、データ通信２４６は、並列通信方法、シリアル通信方法、光通信方法、インターネット通信方法、無線通信方法、セルラ通信方法を含むことができる。医療デバイスネットワークサーバ２３０は図２では単一のデバイスとして示されているが、医療デバイスネットワークサーバ２３０は分散型サーバ、クラウドベースのサーバ、又はデータベースを記憶し得る他のサーバ構成を含むことができることが認識されよう。
【００４９】
以下に開示される図３Ａ〜図３Ｂ、図４Ａ〜図４Ｂ、及び図５は、医療デバイスシステム２００の例示的な構成要素をより詳細に示す。医療デバイスシステム２００は、図３Ａ〜図３Ｂ、図４Ａ、図４Ｂ及び図５に示す特定の構成要素に以下に開示されるように限定されない場合があるが、追加の構成要素を含むか、又は開示されるような特定の構成要素を欠いてもよいことが理解されよう。
【００５０】
図３Ａ及び図３Ｂは、それぞれ医療デバイス２１０ａ及び２１０ｂの一部分の２つの例を示す。図３Ａ及び図３Ｂに示した部品は、医療デバイスハンドヘルド構成要素２１６に組み込まれてもよく、又は所望であれば医療デバイス２１０全体に分散されてもよいことが認識されよう。
【００５１】
図３Ａは、電力ケーブル２４４を受容するように構成されたデバイス電力インターフェース２１７ａを有する医療デバイス２１０ａの一部分を示す。デバイスエネルギコントローラ３１６は、デバイス電力バス３２０を介してデバイス電力インターフェース２１７ａから電気エネルギを受信することができる。デバイスエネルギコントローラ３１６は、二次デバイス電力バス３２２を介して医療デバイス２１０ａの追加の構成要素に送達される電力を調整又は制御するように構成することができる。１つの非限定的な例では、デバイスエネルギコントローラ３１６は、直接エネルギ（例えば、ＲＦエネルギ）を組織に印加するために、医療デバイスエンドエフェクタ（図１Ｃの１０３２）の１つ又は２つ以上の電極に電気エネルギを送ることができる。別の非限定的な例では、デバイスエネルギ制御デバイス３１６は、電気エネルギを超音波エネルギに変換するように構成された、圧電構成要素などの１つ又は２つ以上の追加の構成要素に電気エネルギを送ることができる。医療デバイス２１０ａ、２１０ｂによって受信された電気エネルギはまた、その中に見出される様々な電気及び／又は電気機械構成要素に電力を供給するために使用され得ることが認識されよう。
【００５２】
一般に、医療デバイス２１０ａ、２０１ｂ、は、所与のセットの設計パラメータ又は性能制約に応じて、ハードウェア、ソフトウェア、又はそれらの任意の組み合わせとして実装された様々な物理素子又は論理素子を含むことができる。様々な態様では、物理素子又は論理素子は、１つ又は２つ以上の通信媒体によって接続することができる。例えば、通信媒体は、所与の実装に望まれるように、有線通信媒体（１つ又は２つ以上の通信バスを含む）、無線通信媒体、又は両方の組み合わせを含むことができる。
【００５３】
医療デバイス２１０ａ、２０１ｂは、デバイスプロセッサユニット３１０及び１つ又は２つ以上のデバイスメモリ記憶構成要素３１２を更に備える。デバイスプロセッサユニット３１０及び１つ又は２つ以上のメモリ記憶構成要素３１２は、デバイスデータバス３３０を介してデータ通信することができる。デバイスデータインターフェース２１８は、デバイスデータバス３３０を介してプロセッサユニット３１０及び１つ又は２つ以上のメモリ記憶構成要素３１２とデータ通信することもできる。デバイスプロセッサユニット３１０は、エネルギ制御バス３３２を介してデバイスエネルギコントローラ３１６と通信することもできる。あるいは、デバイスエネルギコントローラ３１６は、デバイスデータバス３３０を介してデバイスプロセッサユニット３１０と通信してもよい。
【００５４】
デバイスデータインターフェース２１８は、医療デバイスエネルギ源２２０とデータ通信することができる任意のデータ通信インターフェースを含むことができる。そのようなインターフェースは、有線インターフェース又は無線インターフェースであることができる。有線通信モードは、ポイント間の任意の通信モードを含み、有線送信、データ、及びデバイスに関連付けられた様々なプロトコル、及びプロトコルの組み合わせを含む有線技術を利用する。無線通信モードは、ポイント間の任意の通信モードを含み、無線送信、データ、及びデバイスに関連付けられた様々なプロトコル及びプロトコルの組み合わせを含む無線技術を少なくとも部分的に利用する。有線通信インターフェースの非限定的な例は、シリアルインターフェース、パラレルインターフェース、イーサネットインターフェース、及び光ケーブルインターフェースを含むことができる。無線インターフェースの非限定的な例は、無線ローカルエリアネットワーク（wireless local area network、ＷＬＡＮ）インターフェース、無線広域ネットワーク（wireless wide area network、ＷＷＡＮ）インターフェース、及び無線パーソナルエリアネットワーク（personal area network、ＰＡＮ）インターフェースを含むことができる。
【００５５】
デバイスプロセッサユニット３１０はまた、１つ又は２つ以上の追加の制御線３３４を介して１つ又は２つ以上の電気機械構成要素３１８を制御することができる。１つ又は２つ以上の電気機械構成要素３１８は、リレー、モータ、又は電気エネルギを機械的作動に変換するように構成された他の構成要素を含むことができる。電気機械構成要素３１８の機械的作動は、機械的リンケージ３４０を介して、エンドエフェクタ（図１Ｃの１０３２、１０２６）における顎部アクチュエータ及び切断アクチュエータなどの医療デバイス２１０ａ、２１０ｂの他の機械部品に伝達されてもよい。
【００５６】
デバイスプロセッサユニット３１０はまた、医療デバイス２１０ａ、２０１ｂのうちの１つ又は２つ以上の入力及び／又は出力インターフェースと通信してもよい。入力インターフェースは、デバイス使用に関するデータを提供し得る、プッシュボタン、スライドボタン、圧力センサ、熱センサ、磁気センサ、光センサ、又は医療デバイス２１０ａ、２０１ｂに関連付けられた他の入力を含むことができるが、これらに限定されない。出力インターフェースは、限定なしに、医療デバイス２１０ａ、２０１ｂの状態をユーザに通知するために、ＬＥＤ、ＬＥＤディスプレイ、ＬＣＤディスプレイ、オーディオインジケータ、ハプティックインジケータ、又は他のインジケータを非限定的に起動するために使用することができる。
【００５７】
デバイスプロセッサユニット３１０は、汎用プロセッサ、チップマルチプロセッサ（chip multiprocessor、ＣＭＰ）、専用プロセッサ、組み込みプロセッサ、デジタルシグナルプロセッサ（digital signal processor、ＤＳＰ）、複合命令セットコンピュータ（complex instruction set computer、ＣＩＳＣ）マイクロプロセッサなどのマイクロプロセッサ、例えば、縮小命令セットコンピューティング（reduced instruction set computing、ＲＩＳＣ）マイクロプロセッサ、及び／又は非常に長い命令語（very long instruction word、ＶＬＩＷ）のマイクロプロセッサ、又は他の処理デバイス、として実装することができる。デバイスプロセッサユニット３１０は、コントローラ、マイクロコントローラ、特定用途向け集積回路（ＡＳＩＣ）、フィールドプログラマブルゲートアレイ（field programmable gate array、ＦＰＧＡ）、プログラマブル論理デバイス（ＰＬＤ）などによっても実装することができる。様々な態様では、デバイスプロセッサユニット３１０は、オペレーティングシステム（operating system、ＯＳ）及び様々なモバイルアプリケーションを実行するように構成することができる。ＯＳの例には、例えば、Ｍｉｃｒｏｓｏｆｔ  Ｗｉｎｄｏｗｓ  ＯＳの商標名で一般に知られているオペレーティングシステム、及び他の任意の独自の又はオープンソースのＯＳが含まれる。
【００５８】
様々な態様では、１つ又は２つ以上のデバイスメモリ記憶構成要素３１２は、揮発性メモリと不揮発性メモリの両方を含む、データを記憶することができる任意の機械可読媒体又はコンピュータ可読媒体を備えることができる。例えば、メモリは、読み出し専用メモリ（ＲＯＭ）、ランダムアクセスメモリ（ＲＡＭ）、ダイナミックＲＡＭ（ＤＲＡＭ）、ダブルデータレートＤＲＡＭ（Double-Data-Rate DRAM、ＤＤＲ−ＲＡＭ）、シンクロナスＤＲＡＭ（synchronous DRAM、ＳＤＲＡＭ）、スタティックＲＡＭ（static RAM、ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ（例えば、ＮＯＲ又はＮＡＮＤフラッシュメモリ）、連想メモリ（content addressable memory、ＣＡＭ）、ポリマーメモリ（例えば、強誘電性ポリマーメモリ）、相変化メモリ（例えば、オボニックメモリ）、強誘電体メモリ、酸化シリコン窒化酸化シリコン（silicon-oxide-nitride-oxide-silicon、ＳＯＮＯＳ）メモリ、又は情報を記憶するのに適した他の任意のタイプの媒体、を含むことができる。
【００５９】
デバイスデータバス３３０及びエネルギ制御バス３３２は、メモリバス又はメモリコントローラ、ペリフェラルバス又は外部バス、及び／又は９ビットバス、産業標準アーキテクチャ（Industrial Standard Architecture、ＩＳＡ）、Ｍｉｃｒｏ−Ｃｈａｒｍｅｌアーキテクチャ（Micro-Charmel Architecture、ＭＳＡ）、拡張ＩＳＡ（Extended ISA、ＥＩＳＡ）、インテリジェントドライブエレクトロニクス（Intelligent Drive Electronics、ＩＤＥ）、ＶＥＳＡローカルバス（VESA Local Bus、ＶＬＢ）、ペリフェラル構成要素インターコネクト（Peripheral Component Interconnect、ＰＣＩ）、ユニバーサルシリアルバス（Universal Serial Bus、ＵＳＢ）、アドバンストグラフィックポート（Advanced Graphics Port、ＡＧＰ）、パーソナルコンピュータメモリカード国際協会（Personal Computer Memory Card International Association、ＰＣＭＣＩＡ）バス、小型コンピュータシステムインターフェース（Small Computer Systems Interface、ＳＣＳＩ）、又はその他の専用バスを含むがこれらに限定されない任意の様々な利用可能なバスアーキテクチャを使用するローカルバスを含む、いくつかのタイプのバス構造のうちのいずれかから構成することができる。
【００６０】
１つ又は２つ以上のデバイスメモリ記憶構成要素３１２は、デバイスプロセッサユニット３１０によって実行され得る命令を記憶するために使用することができる。命令は、ソースコード、コンパイル済みコード、解釈コード、実行可能コード、静的コード、動的コード、などの任意の適切なタイプのコードを含むことができる。命令又は命令のセットは、デバイスプロセッサユニット３１０によって実行された場合、デバイスプロセッサユニット３１０に実施形態による方法及び／又は動作を実行させることができるものを含むことができる。命令は、Ｃ、Ｃ＋＋、Ｊａｖａ、ＢＡＳＩＣ、Ｐｅｒｌ、Ｍａｔｌａｂ、Ｐａｓｃａｌ、Ｖｉｓｕａｌ  ＢＡＳＩＣ、アセンブリ言語、マシンコード、などの任意の適切な高レベル、低レベル、オブジェクト指向、ビジュアル、コンパイル及び／又はインタプリタプログラミング言語を使用して実装することができる。
【００６１】
１つ又は２つ以上のデバイスメモリ記憶構成要素３１２に記憶された命令は、デバイスエネルギコントローラ３１６によってエンドエフェクタ２１２に送達されるエネルギ量を制御するための命令を含むことができる。追加の命令は、１つ又は２つ以上の電気機械構成要素３１８の動作を制御することができる。追加の命令は、医療デバイス２１０ａ、２０１ｂの使用に関連付けられた情報をデバイスプロセッサユニット３１０に記憶させることができる。使用情報は、限定なしに、エンドエフェクタ２１２によって単一の組織片に又は複数の組織片にエネルギが送達される回数、組織へのエネルギの各印加に対してエンドエフェクタ２１２によって組織に送達されるエネルギ量に関するデータ、及びある量のエネルギが組織に送達される期間の長さ、を含むことができる。限定なしに、エネルギを受け取る組織の温度及び組織のインピーダンス測定値を含む、追加の使用情報を記憶することができる。
【００６２】
１つ又は２つ以上のデバイスメモリ記憶構成要素３１２は、医療デバイス２１０ａ、２０１ｂ及びその使用に関連付けられたデータも記憶することができる。上記に開示したように、デバイス使用に関連付けられたデータは、限定なしに、エンドエフェクタ２１２によって単一の組織片に又は複数の組織片にエネルギが送達される回数、組織へのエネルギの各印加に対してエンドエフェクタ２１２によって組織に送達されるエネルギ量に関するデータ、及びある量のエネルギが組織に送達される期間の長さ、を含むことができる。限定なしに、エネルギを受け取る組織の温度及び組織のインピーダンス測定値を含む、追加の使用情報を記憶することができる。
【００６３】
１つ又は２つ以上のデバイスメモリ記憶構成要素３１２は、医療デバイス２１０ａ、２０１ｂを特徴付ける情報も記憶することができる。そのような特徴情報は、限定なしに、デバイス名、デバイスモデル番号、デバイスロット又はシリアル番号、デバイス使用制限番号、デバイス電力制限番号、デバイス有効期限、及びデバイス識別子コードを含むことができる。デバイス識別子コードは、１つ又は２つ以上の機械可読文字、又はそのような機械可読文字の１つ又は２つ以上のストリングを含むことができる。デバイス識別子コードは、単一ストリングの機械可読文字から構成されてもよい。あるいは、デバイス識別子コードは、非限定的な例として、２ストリングの機械可読文字又は３ストリングの機械可読文字などの複数ストリングの機械可読文字から構成することができる。１つの非限定的な例では、デバイス識別子コードは、デバイス特徴付け情報に関連する一連の機械可読文字を含むことができる。別の非限定的な例では、デバイス識別子コードは、ランダムに生成された機械可読文字の１つ又は２つ以上のストリングを含むことができる。デバイス識別子コードは、任意の数の機械可読文字の１つ又は２つ以上のストリングから構成することができる。デバイス識別子コードの１つ又は２つ以上のストリングの各々における機械可読文字の数の非限定的な例は、３２文字、６４文字、１２８文字、２５６文字、５１２文字、又は端点を含むそれらの間の任意の数の文字を含むことができる。
【００６４】
図３Ｂは、エネルギドッキングポートを介して医療デバイスエネルギ源とインターフェースするように構成されたデバイス電力インターフェース２１７ｂを有する医療デバイス２１０ｂの一部分を示す。ドッキング電源インターフェース２１７ｂを有する医療デバイス２１０ｂは、取り扱いを容易にするために電源ケーブル２４４なしで動作させることができる。医療デバイス２１０ｂの構成要素の多くは、上に開示したように医療デバイス２１０ａの構成要素と同一であることが観察され得る。コードレス医療デバイス２１０ｂは、医療デバイス２１０ｂが医療デバイスエネルギ源２２０に物理的にドッキングされている間に医療デバイスエネルギ源２２０から受け取った電力を受信して蓄積するための充電式電池３５０を含むことができる。電池３５０からの電力は、そのようなコードレス医療デバイス２１０ｂのための電力使用に適した方法でデバイスエネルギコントローラ３１６を介して調整することができる。コードレス医療デバイス２１０ｂと医療デバイスエネルギ源２２０との間のデータ通信は、コード付き医療デバイス２１０ａに関して上記で開示したように有線通信インターフェース又は無線通信インターフェースから構成され得るデバイスデータインターフェース２１８を介して達成することができる。
【００６５】
電力ケーブル２４４を介して電気エネルギを受け取るコード付き医療デバイス２１０ａは、電力貯蔵用の電池も含み得ることを理解されたい。そのような追加の電力貯蔵能力は、医療デバイス２１０ａの電気的構成要素及び／又は電気機械的構成要素のための別個の電源として使用することができる。そのような電池は、デバイスの動作中にデバイスの電力バス３２０上のノイズから電気又は電子構成要素を電気的に絶縁するために使用することができる。あるいは、そのような電池は、医療デバイスエネルギ源２２０の停電の場合に電子構成要素へのバックアップ電源として機能することができる。
【００６６】
図４Ａ及び図４Ｂは、医療デバイスエネルギ源の２つの例２２０ａ及び２２０ｂをそれぞれ示す。図４Ａは、コード付き医療デバイス２１０ａと共に使用することができる医療デバイスエネルギ源２２０ａの例を示す。図４Ｂは、コードレス医療デバイス２１０ｂと共に使用することができる例示的な医療デバイスエネルギ源２２０ｂの一部分を示す。
【００６７】
図４Ａに示すように、医療デバイスエネルギ源２２０ａは、エネルギ源デバイス電力バス４２０を介してエネルギ源から電気エネルギを送達するように構成されたエネルギ源電力インターフェース２２６ａに電気通信するエネルギ源４３５を組み込むことができる。エネルギ源電力インターフェース２２６ａは、コード付き医療デバイス２１０ａに電気エネルギを伝導するように構成された付属の電力ケーブル２４４に適している可能性がある。エネルギ源４３５は、医療デバイス２１０に有効量の電気エネルギを供給するように制御することができる。有効量の電気エネルギは、医療デバイスへの治療量のエネルギ、非治療量のエネルギ、又は治療量と非治療量の両方のエネルギを含むことができる。治療量のエネルギの非限定的な例としては、電気エネルギを受信する医療デバイス２１０のタイプに応じて、組織を焼灼するためのエネルギ量、組織を収縮させるためのエネルギ量、又は組織を切断するためのエネルギ量など、組織に治療を施すために必要なエネルギ量を挙げることができる。非治療量のエネルギの非限定的な例は、組織インピーダンスを測定するためのエネルギ量又は医療デバイス２１０ａの電子構成要素へ電力を供給するためのエネルギ量を含む、組織に治療を行うのに十分でないエネルギ量を含むことができる。エネルギ源４３５によって供給される電気エネルギは、ＤＣ電圧、ＡＣ電圧、ＲＭＳ電圧、ＤＣ電流、ＡＣ電流、ＲＭＳ電流、周波数、パルス幅変調、又はそれらの任意の組み合わせに対して制御することができる。
【００６８】
エネルギ源４３５は、エネルギ源コンピューティングデバイス４５０によって制御することができる。エネルギ源コンピューティングデバイス４５０は、エネルギ源プロセッサユニット４１０、１つ又は２つ以上のエネルギ源メモリ記憶構成要素４１２、１つ又は２つ以上のエネルギ源入力インターフェース４２４、１つ又は２つ以上のエネルギ源出力インターフェース４２２、及びエネルギ源データバス４３０から構成することができる。エネルギ源データバス４３０は、１つ又は２つ以上のエネルギ源メモリ記憶構成要素４１２、１つ又は２つ以上のエネルギ源入力インターフェース４２４、及び１つ又は２つ以上のエネルギ源出力インターフェース４２２を、エネルギ源プロセッサユニット４１０と動作可能に通信するように配置するように構成することができることが理解されよう。
【００６９】
１つ又は２つ以上のエネルギ源メモリ記憶構成要素４１２は、エネルギ源プロセッサユニット４１０によって実行され得る命令を記憶するために使用することができる。そのような命令のいくつかの非限定的な例は、１つ又は２つ以上のエネルギ源入力インターフェース４２４からデータを受信するための命令と、エネルギ源出力インターフェース４２２と動作可能に通信することができるディスプレイデバイス上の情報の表示に関する命令と、エネルギ源４３５の動作を制御するための命令と、エネルギ源データインターフェース２２４を介して医療デバイスにデータを送信するための命令と、エネルギ源データインターフェース２２４を介して医療デバイスからデータを受信するための命令と、医療デバイス２１０が医療デバイスエネルギ源２２０と機能的に通信していることを判定するための命令と、エネルギ源電力インターフェース２２６ａ、ｂがデバイス電力インターフェース２１７ａ、ｂと動作可能に通信することの命令と、エネルギ源データインターフェース２２４がデバイスデータインターフェース２１８と動作可能に通信していることを判定するための命令と、を含むことができる。追加の命令は、医療デバイスが医療デバイスエネルギ源と機能的に通信していないとき、エネルギ源４３５が、エネルギ源電力インターフェース２２６ａ、ｂを介して医療デバイス２１０ａ、ｂに有効量の電気エネルギを送達させないようにすることができる。命令は、ソースコード、コンパイル済みコード、解釈コード、実行可能コード、静的コード、動的コード、などの任意の適切なタイプのコードを含むことができる。命令又は命令のセットは、エネルギ源プロセッサユニット４１０によって実行されたとき、エネルギ源プロセッサユニット４１０に実施形態による方法及び／又は動作を実行させることができるものを含むことができる。命令は、Ｃ、Ｃ＋＋、Ｊａｖａ、ＢＡＳＩＣ、Ｐｅｒｌ、Ｍａｔｌａｂ、Ｐａｓｃａｌ、Ｖｉｓｕａｌ  ＢＡＳＩＣ、アセンブリ言語、マシンコード、などの任意の適切な高レベル、低レベル、オブジェクト指向、ビジュアル、コンパイル及び／又はインタプリタプログラミング言語を使用して実装することができる。
【００７０】
エネルギ源入力インターフェース４２４は、エネルギ源データバス４３０を介してユーザからエネルギ源コンピューティングデバイス４５０に入力を提供するように構成された任意のインターフェースを含むことができる。そのような入力インターフェース４２４の非限定的な例は、シリアルインターフェース、パラレルインターフェース、オーディオ（マイクロフォン）インターフェース、ＲＦインターフェースを含む無線インターフェース、及び光学インターフェースを含むことができる。そのようなエネルギ源入力インターフェース４２４は、限定なしに、プッシュボタン、スライドボタン、キーボード、ノブ、タッチスクリーン、及びコンピュータマウスを含む、任意の数のユーザアクチュエータとデータ通信することができる。ユーザは、例えばエネルギ源４３５によって供給される最大量の電気エネルギ、又はエネルギ源４３５が電気エネルギを医療デバイス２１０ａに供給することができる回数を設定する、医療デバイスエネルギ源２２０ａの動作を指示するために、アクチュエータを使用することができる。
【００７１】
エネルギ源出力インターフェース４２２は、エネルギ源データバス４３０を介してエネルギ源コンピューティングデバイス４５０にユーザへの情報を提供するように構成された任意のインターフェースを備えることができる。したがって、ユーザディスプレイは、エネルギ源出力インターフェース４２２及びエネルギ源バス４３０によって、エネルギ源プロセッサユニット４１０と動作可能に通信することができる。そのような出力インターフェース４２２の非限定的な例は、シリアルインターフェース、パラレルインターフェース、ビデオインターフェース、オーディオ（スピーカ）インターフェース、ＲＦインターフェースを含む無線インターフェース、及び光学インターフェースを含むことができる。そのようなエネルギ源出力インターフェース４２２は、ＬＥＤ、ＬＥＤディスプレイ、ＬＣＤディスプレイ、プラズマディスプレイ、オーディオアナンシエータ、及びスピーカを限定なしに含む、任意の数のディスプレイ又は通信デバイスとデータ通信することができる。ディスプレイ又は通信デバイスは、ユーザに、外科手術中にエネルギ源４３５によって供給されるある量の電気エネルギの量、エネルギ源４３５の故障状態の表示、又は、医療デバイス２１０がエネルギ源４３５から電気エネルギを受け取るのに適切なデバイスではないという表示を含む、医療デバイスエネルギ源２２０ａの使用に関する情報を、提供するように構成することができる。
【００７２】
エネルギ源データバス４３０は、エネルギ源コンピューティングデバイス４５０の構成要素間でデータ及び／又は情報を転送するように構成することができる。エネルギ源データバス＜４３０は、エネルギ源４３５にそこから供給される電気エネルギの量を調整させるように、命令をエネルギ源４３５に向けるように構成することができる。エネルギ源データバス４３０は、エネルギ源データインターフェース２２４とデータを送受信し、それによって医療デバイス２１０ａとのデータ交換を可能にするようにも構成することができる。したがって、エネルギ源データインターフェース２２４は、エネルギ源データバス４３０によってエネルギ源プロセッサユニット４１０と動作可能に通信することができる。エネルギ源データバス４３０は、エネルギ源ネットワーク通信インターフェース２２８とデータを送受信するように更に構成することができ、それによって医療デバイスネットワークサーバ２３０とのデータ交換を可能にする。したがって、エネルギ源ネットワーク通信インターフェース２２８は、エネルギ源データバス４３０によってエネルギ源プロセッサユニット４１０と動作可能に通信することができる。
【００７３】
エネルギ源プロセッサユニッ４１０は、医療デバイスプロセッサユニット３１０に関して上記で開示したものと同様のデバイスを含み得ることが認識されよう。更に、１つ又は２つ以上のエネルギ源メモリ記憶構成要素４１２は、医療デバイスメモリ記憶構成要素３１２に関して上記で開示したものと同様のデバイスを含むことができる。更に、エネルギ源データバス４３０は、デバイスデータバス３３０に関して上記に開示したものと同様のデバイスを含むことができる。エネルギ源データインターフェース２２４は、デバイスデータインターフェース２１８に関して上記に開示したものに対する補完的な構成要素を含み得ることも認識されよう。いくつかの非限定的な例では、エネルギ源データインターフェース２２４は、シリアルデータインターフェース、パラレルデータインターフェース、無線インターフェース、及び光学インターフェースのうちの１つ以上を含むことができる。
【００７４】
エネルギ源ネットワーク通信インターフェース２２８は、医療デバイスネットワークサーバ２３０などの１つ又は２つ以上のネットワークサーバデバイスとの情報交換２４６を可能にするように構成された任意のインターフェースを備えることができる。医療デバイスネットワークサーバ２３０は、エネルギ源ネットワーク通信インターフェース２２８を介して医療デバイスエネルギ源２２０ａに論理的に接続することができる。エネルギ源ネットワーク通信インターフェース２２８は、限定なしに、有線インターネットインターフェース、無線インターネットインターフェース、ＷｉＦｉインターフェース、ＢｌｕｅＴｏｏｔｈインターフェース、ＬＡＮインターフェース、ＷＡＮインターフェース、電話インターフェース、セルラインターフェース、及び光学インターフェースを含む、任意の公知のインターフェースを含むことができる。通信インターフェースは、ローカルエリアネットワーク（local-area network、ＬＡＮ）及びワイドエリアネットワーク（wide area network、ＷＡＮ）などのネットワーク間の通信を可能にすることができる。ＬＡＮ技術の非限定的な例は、ファイバ分散データインターフェース（Fiber Distributed Data Interface、ＦＤＤＩ）、銅分散データインターフェース（Copper Distributed Data Interface、ＣＤＤＩ）、Ｅｔｈｅｒｎｅｔ／ＩＥＥＥ８０２．３、Ｔｏｋｅｎ  Ｒｉｎｇ／ＩＥＥＥ８０２．５などを含むことができる。ＷＡＮ技術の非限定的な例は、ポイントツーポイントリンク、統合サービスデジタルネットワーク（Integrated Services Digital Network、ＩＳＤＮ）及びその変形などの回線交換ネットワーク、パケット交換ネットワーク、並びにデジタル加入者回線（Digital Subscriber Line、ＤＳＬ）が含むことができるが、これらに限定されない。
【００７５】
エネルギ源ネットワーク通信インターフェース２２８は、無線又はセルラ通信インターフェースを更に含むことができる。無線プロトコルの例は、ＩＥＥＥ８０２．１１ａ／ｂ／ｇ／ｎ、ＩＥＥＥ８０２．１６、ＩＥＥＥ８０２．２０、などの、電気電子技術者協会（Institute of Electrical and Electronics Engineer、ＩＥＥＥ）８０２．ｘｘシリーズのプロトコルを含む様々な無線ローカルエリアネットワーク（ＷＬＡＮ）プロトコルを含むことができる。無線プロトコルの他の例は、ＧＰＲＳを有するＧＳＭセルラ無線電話システムプロトコル、１ｘＲＴＴを有するＣＤＭＡセルラ無線電話通信システム、ＥＤＧＥシステム、ＥＶ−ＤＯシステム、ＥＶ−ＤＶシステム、ＨＳＤＰＡシステムなどの、様々な無線広域ネットワーク（ＷＷＡＮ）プロトコルを含むことができる。無線プロトコルの更なる例は、赤外線プロトコル、Ｂｌｕｅｔｏｏｔｈ仕様バージョンｖ１．０、ｖ１．１、ｖ１．２、ｖ２．０、拡張データレート（Enhanced Data Rate、ＥＤＲ）付きｖ２．０、及び１つ又は２つ以上のＢｌｕｅｔｏｏｔｈプロファイル、などを含むＢｌｕｅｔｏｏｔｈ  Ｓｐｅｃｉａｌ  Ｉｎｔｅｒｅｓｔ  Ｇｒｏｕｐ（ＳＩＧ）シリーズのプロトコルからのプロトコル、などの、無線パーソナルエリアネットワーク（ＰＡＮ）プロトコルを含むことができる。無線プロトコルの更に別の例は、電磁誘導（electro-magnetic induction、ＥＭＩ）技術などの近距離通信技術及びプロトコルを含むことができる。ＥＭＩ技術の例は、受動的又は能動的無線周波数識別（radio-frequency identification、ＲＦＩＤ）プロトコル及びデバイスを含むことができる。他の適切なプロトコルは、ウルトラワイドバンド（Ultra Wide Band、ＵＷＢ）、デジタルオフィス（Digital Office、ＤＯ）、デジタルホーム、トラステッドプラットフォームモジュール（Trusted Platform Module、ＴＰＭ）、ジグビー、などを含むことができる。
【００７６】
セルラ通信システムの例は、ＣＤＭＡセルラ無線電話通信システム、ＧＳＭセルラ無線電話システム、北米デジタルセルラ（North American Digital Cellular、ＮＡＤＣ）セルラ無線電話システム、時分割多元接続（Time Division Multiple Access、ＴＤＭＡ）セルラ無線電話システム、拡張ＴＤＭＡ（Extended-TDMA、Ｅ−ＴＤＭＡ）セルラ無線電話システム、狭帯域アドバンスト携帯電話サービス（Narrowband Advanced Mobile Phone Service、ＮＡＭＰＳ）セルラ無線電話システム、ＷＣＤＭＡ、ＣＤＭＡ−２０００などの第３世代（third generation、３Ｇ）システム、第３世代パートナーシッププロジェクト（Third-Generation Partnership Project、３ＧＰＰ）に準拠したＵＭＴＳセルラ無線電話システム、など、を含むことができる。
【００７７】
上記に開示したように、図４Ａは、接続された電力ケーブル２４４を介してコード付き医療デバイス２１０ａに電気エネルギを伝導するのに適したエネルギ源電力インターフェース２２６ａを有する医療デバイスエネルギ源２２０ａを示す。図４Ｂは、電力を電池３５０に蓄えることができるコードレス医療デバイス２１０ｂに電気エネルギを提供するように構成されたエネルギ源電力インターフェース２２６ｂを有する医療デバイスエネルギ源２２０ｂの一部分を示す。医療デバイスエネルギ源２２０ｂは、コードレス医療デバイス２１０ｂのデバイス電力インターフェース２１７ｂと相補的であり得るドッキングステーションなどのエネルギ源電力インターフェース２２６ｂを含むことができる。エネルギ源電力インターフェース２２６ｂは、エネルギ源デバイス電力バス４２０を介してエネルギ源４３５から電気エネルギを受け取ることもできる。医療デバイスエネルギ源２２０ａ及び図４Ａに示すようなその構成要素に関して上記で開示した構成要素及び動作はまた、図４Ｂに示す医療デバイスエネルギ源２２０ｂ（エネルギ源電力インターフェース２２６ａを除く）のものと同様であり得ることが理解されよう。１つの非限定的な例では、医療デバイスエネルギ源２２０ｂは、医療デバイスデータインターフェース２１８と通信するデータケーブル２４２を介してエネルギ源データインターフェース２２４を通して医療デバイス２１０ｂとデータを交換するように構成することができる。別の非限定的な例では、医療デバイスエネルギ源２２０ｂのエネルギ源データインターフェース２２４は、無線インターフェースを介して医療デバイスデータインターフェース２１８とデータを通信することができる。医療デバイスエネルギ源２２０ｂと医療デバイス２１０ｂとの間の無線通信は、医療デバイスエネルギ源２２０ｂに物理的アタッチメントを有さない医療デバイス２１０ｂをもたらし、医療デバイス２１０ｂの妨げのない使用を可能にすることが認識されよう。
【００７８】
図５は、医療デバイスネットワークサーバ２３０の一例のブロック図を示す。医療デバイスネットワークサーバ２３０は、医療デバイスネットワークサーバプロセッサユニット５１０、１つ又は２つ以上の医療デバイスネットワークサーバメモリ記憶構成要素５１２、１つ又は２つ以上の医療デバイスネットワークサーバ入力インターフェース５２４、１つ又は２つ以上の医療デバイスネットワークサーバ出力インターフェース５２２、及び医療デバイスネットワークサーバデータバス５３０、から構成することができる。医療デバイスネットワークサーバ２３０は、ネットワークサーバ通信インターフェース２３２を有することができる。医療デバイスネットワークサーバプロセッサユニット５１０は、ネットワークサーバデータバス５３０を介して１つ又は２つ以上の医療デバイスネットワークサーバメモリ記憶構成要素５１２及びネットワークサーバ通信インターフェース２３２と動作可能に通信することができる。医療デバイスネットワークサーバ２３０は、医療デバイス２１０ａ、ｂエネルギ源２２０ａ、ｂ、及びそれらのそれぞれの機能に関する情報の１つ又は２つ以上のデータベースを記憶することができる。データベースは、１つ又は２つ以上の医療デバイスネットワークサーバメモリ記憶構成要素５１２に記憶することができる。１つ又は２つ以上の医療デバイスネットワークサーバメモリ記憶構成要素５１２は、医療デバイスネットワークサーバプロセッサユニット５１０にそれらの命令に従って動作させることができる命令を含むこともできる。いくつかの非限定的な例では、医療デバイスネットワークサーバメモリ記憶構成要素５１２は、医療デバイスエネルギ源からデータベースデータに対するリクエストを受信し、データベースからのデータの全部又は一部分をエネルギ源に医療デバイスに送信し、医療デバイス識別コードに従ってデータベース内の医療デバイスの状態インジケータを更新し、医療デバイス識別コードに従ってデータベース内の医療デバイスの使用データを更新する、ための命令を含むことができる。医療デバイスネットワークサーバ２３０は、ネットワークサーバ通信インターフェース２３２及びエネルギ源ネットワーク通信インターフェース２２８を介してエネルギ源２２０ａ、ｂ、とデータ通信することができる。医療デバイスネットワークサーバ２３０とエネルギ源２２０ａ、ｂとの間のデータ通信２４６は、任意の標準的なデータ交換方法によって行うことができる。ネットワークサーバ通信インターフェース２３２は、エネルギ源ネットワーク通信インターフェース２２８に関して上記に開示したものと相補的なインターフェース及びプロトコルを含むことができる。
【００７９】
医療デバイスネットワークサーバプロセッサユニット５１０は、医療デバイスプロセッサユニット３１０に関して上記に開示したものと同様のデバイスを含み得ることが認識されよう。更に、１つ又は２つ以上の医療デバイスネットワークサーバメモリ記憶構成要素５１２は、医療デバイスメモリ記憶構成要素３１２に関して上記に開示したものと同様のデバイスを含むことができる。更に、医療デバイスネットワークサーバデータバス５３０は、デバイスデータバス３３０に関して上記に開示したものと同様のデバイスを含むことができる。医療デバイスネットワークサーバ入力インターフェース５２４及び１つ又は２つ以上の医療デバイスネットワークサーバ出力インターフェース５２２は、エネルギ源入力インターフェース４２４及びエネルギ源出力インターフェース４２２に関してそれぞれ上記に開示したものと同様のデバイス及びデータ交換プロトコルを含むことができることも認識されよう。
【００８０】
１つ又は２つ以上の医療デバイスネットワークサーバメモリ記憶構成要素５１２は、医療デバイスネットワークサーバプロセッサユニット５１０によって実行され得る命令を記憶するために使用することができる。命令は、ソースコード、コンパイル済みコード、解釈コード、実行可能コード、静的コード、動的コード、などの任意の適切なタイプのコードを含むことができる。命令又は命令のセットは、医療デバイスネットワークサーバプロセッサユニット５１０によって実行された場合、医療デバイスネットワークサーバプロセッサユニット５１０に実施形態による方法及び／又は動作を実行させ得るものを含むことができる。命令は、Ｃ、Ｃ＋＋、Ｊａｖａ、ＢＡＳＩＣ、Ｐｅｒｌ、Ｍａｔｌａｂ、Ｐａｓｃａｌ、Ｖｉｓｕａｌ  ＢＡＳＩＣ、アセンブリ言語、マシンコード、などの任意の適切な高レベル、低レベル、オブジェクト指向、ビジュアル、コンパイル及び／又はインタプリタプログラミング言語を使用して実装することができる。
【００８１】
医療デバイスネットワークサーバ入力インターフェース５２４は、限定なしに、プッシュボタン、スライドボタン、キーボード、ノブ、タッチスクリーン、及びコンピュータマウスを含む、任意の数のユーザアクチュエータとデータ通信することができる。ユーザは、例えば医療デバイスネットワークサーバメモリ記憶構成要素５１２に記憶され得るデータベースを入力又は修正するために、医療デバイスネットワークサーバ２３０の動作を指示するためのアクチュエータを使用することができる。
【００８２】
医療デバイスネットワークサーバ出力インターフェース５２２は、医療デバイスネットワークサーバデータバス５３０を介して医療デバイスネットワークサーバ２３０のユーザに情報を提供するように構成されたインターフェースを含むことができる。そのような出力インターフェース５２２の非限定的な例は、シリアルインターフェース、パラレルインターフェース、ビデオインターフェース、オーディオ（スピーカ）インターフェース、ＲＦインターフェースを含む無線インターフェース、及び光学インターフェースを含むことができる。そのような医療デバイスネットワークサーバ５２２は、ＬＥＤ、ＬＥＤディスプレイ、ＬＣＤディスプレイ、プラズマディスプレイ、オーディオアナンシエータ、及びスピーカを限定なしに含む、任意の数のディスプレイ又は通信デバイスとデータ通信することができる。ディスプレイ又は通信デバイスは、医療デバイスネットワークサーバ２３０の状態に関する情報又は医療デバイスネットワークサーバメモリ記憶構成要素５１２に記憶されたデータベースに関連する情報をユーザに提供するように構成することができる。
【００８３】
上記に開示したように、電気外科用デバイスに供給される電気エネルギの適切な制御は、デバイスの安全で効果的な動作にとって重要であり得ることが認識されよう。したがって、安全で効果的な治療結果を促進するために、医療デバイスエネルギ源が適切な量の電気エネルギを電気外科用デバイスに供給することが望ましい。この目的のために使用することができる医療デバイスシステム（２００、図２）の例は、医療デバイスエネルギ源（２２０、図２）が医療デバイス（２１０、図２）から情報を得て、その情報を医療デバイスネットワークサーバ（２３０、図２）に記憶されたデータベースに保持されているデータと比較することができるものである。その比較の結果として、医療デバイスエネルギ源は、エネルギ源メモリ記憶構成要素４１２、図４Ａ）に記憶されたソフトウェア命令に基づいて、医療デバイスに供給するための電気エネルギの量を判定することができる。医療デバイスエネルギ源は、エネルギ源データインターフェース２２４、図２）を介して医療デバイスから識別子コードを受信することができる。医療２２８、図２）を介して医療デバイスネットワークサーバからデータを受信することもできる（２４６、図２）。これらのデータは、医療デバイスネットワークサーバメモリ記憶構成要素５１２に記憶されたデータベースからのデータを含むことができる。
【００８４】
図６Ａ〜図６Ｄは、データベースの例示的な構造を示す。図６Ａ〜図６Ｄに示した例は非限定的であり、データベースはデータを維持及び整理するための任意の適切な構造を有し得ることが認識されよう。
【００８５】
図６Ａは、識別コード６１０ａ〜６１０ｎのリストを含むデータベース６００ａを示しており、各識別コードは別々の医療デバイスに関連付けられている。データベース６００ａに記憶することができる識別コード６１０ｎの数は、任意の有限数の識別コードを含むことができる。例えば、識別コードの数は、１つの識別コードから約１００の識別コードまでの範囲であることができる。データベース６００ａに含み得る識別コードの数の非限定的な例は、１つの識別コード、２つの識別コード、５つの識別コード、１０の識別コード、２０の識別コード、５０の識別コード、１００の識別コード、又は端点を含むそれらの間の値の範囲を含むことができる。図６Ａに示すように、これらの識別コード６０１ａ〜６１０ｎは各々、プロセッサ可読文字の単一のストリングを含むことができる。各ストリングは、約８個のプロセッサ可読文字から約２５６個のプロセッサ可読文字の範囲であり得る、任意の数のプロセッサ可読文字を含むことができる。プロセッサ可読文字数の非限定的な例は、８プロセッサ可読文字、１６プロセッサ可読文字、３２プロセッサ可読文字、６４プロセッサ可読文字、１２８プロセッサ可読文字、２５６プロセッサ可読文字、又は端点を含むそれらの間のプロセッサ可読文字数の範囲を含むことができる。上記に開示したプロセッサ可読文字の数は２の累乗（すなわち、２ｎ、式中ｎは３〜８の整数値を有する）であるが、識別コードを構成するプロセッサ可読文字の数は任意有限整数のプロセッサ可読文字を含むことができることが認識されよう。１つの非限定的な例では、識別コード６０１ａ〜６１０ｎを含むプロセッサ可読文字の各ストリングは、プロセッサ可読文字のランダム又は擬似ランダムストリングを含むことができる。別の非限定的な例では、識別コード６０１ａ〜６１０ｎを含むプロセッサ可読文字の各ストリングは、いくつかの医療デバイスのうちの１つに関連するデータを符号化するプロセッサ可読文字のストリングを含むことができる。そのような符号化に適し得るデータの例としては、限定なしに、医療デバイス名、医療デバイスモデル番号、医療デバイス製造番号、医療デバイス製造日、医療デバイス有効期限、又はそれらの組み合わせが挙げられる。
【００８６】
図６Ｂは、各識別コードが別々の医療デバイスと関連付けられた識別コード６１０ａ〜６１０ｎのリストを含むデータベース６００ｂを示す。データベース６００ｂ内のそのような識別コード６１０ａ〜６１０ｎの数は、データベース６００ａに関して上記に開示したような識別コードの数と同様であることができる（図６Ａ）。図６Ｂに示すように、これらの識別コード６１０ａ〜６１０ｎは各々、プロセッサ可読文字の２つの個別のストリング（６１０ｘ及び６１０ｘ’として総称的に示される）を含むことができる。したがって、各識別コードは、それぞれ、第１のストリング６１０ａ、６１０ｂ．．．６１０ｎ及び第２のストリング６１０ａ’、６１０ｂ’．．．６１０ｎ’を含むことができる。図６Ｂは、各々が２つの別々のプロセッサ可読文字のストリングを有する識別コードから構成されたデータベース６００ｂを示すが、各識別コードに対するプロセッサ可読文字のストリングの数は非限定的であり、プロセッサ可読文字の２ストリング、３ストリング、４ストリング、又は任意の有限数のストリングを含み得ることが理解されよう。データベース６００ｂ内の識別コードを含むプロセッサ可読文字の各数は、データベース６００ａ内の識別コード（図６Ａ）に関して上記に開示したのと同様の方法で特徴付けることができる。識別コードを含む２つの個々のストリング（６１０ｘ及び６１０ｘ’と総称される）の各々が、同数のプロセッサ可読文字又は異なる数のプロセッサ可読文字を有し得ることが更に認識されよう。同様に、医療デバイスメモリ構成要素に記憶された識別子コードは、各ストリングが同数のプロセッサ可読文字又は異なる数のプロセッサ可読文字を有する複数のストリングを含むことができる。
【００８７】
図６Ｃは、２つのデータフィールドのセットを含むデータベース６００ｃを示し、各データフィールドは別々の医療デバイスに関連付けられてもよい。したがって、例えば、第１の医療デバイスはデータフィールド６１０ａ及び６２０ａと関連付けられてもよく、第２の医療デバイスはデータフィールド６１０ｂ及び６２０ｂと関連付けられてもよく、データフィールド６１０ｎ及び６２０ｎと関連付けられた医療デバイスについても同様である。データベース６００ｃ内のそのような（（６１０ａ、６２０ａ））から（６１０ｎ、６２０ｎ）までのペアリングされたデータフィールドの数は、データベース６００ａ（図６Ａ）に関して上記に開示したような識別コードの数と同様であることができる。いくつかの非限定的な例では、データ６１０ａ、６１０ｂ、．．．６１０ｎを含む第１のデータフィールドは、図６Ａ（データベース６００ａ）及び図６Ｂ（データベース６００ｂ）に関して上記のように特徴付けられた医療デバイスに関連付けられた識別コードを含むことができる。
【００８８】
データ６２０ａ、６２０ｂ、．．．６２０ｎを含む第２のデータフィールドは、データベースエントリが関連付けられている医療デバイスの第２の変換器と関連付けることができる。１つの非限定的な例では、第２のデータフィールドは医療デバイスの状態のインジケータを含むことができる。インジケータは、状態のテキスト記述子、又は状態を符号化し得る１つ又は２つ以上のプロセッサ可読文字を含むことができる。そのような状態インジケータの例は、「新規」、「未使用」、「使用済み」、又は「再生」を含み得るが、これらに限定されない。そのような状態インジケータは、新規の（例えば、箱から出して新規の）デバイス、未使用のデバイス（以前にエネルギ源に取り付けられていたが、いかなる医療手術にも使用されていない）、及び使用されたがその後潜在的再使用のために再生された（例えば、滅菌済み、洗浄済み、機械的調整済み）デバイス、としてデバイスを識別するのに使用することができる。追加の又は代替の状態インジケータも含まれ得ることが理解されよう。あるいは、第２のデータフィールドは、限定なしに、デバイス製品番号、デバイスのシリアル番号、デバイスのロット番号、有効期限、又は医療デバイスの他の任意の特徴付けを含む医療デバイスの代替の特徴付けを含むことができる。データベース６００ｃは各医療デバイスに関連付けられた２セットのデータフィールドを含むように描かれているが、データベース６００ｃは、３セット、４セット、又は任意の有限数のデータフィールドセットを含む、各医療デバイスに関連付けられた任意の数のデータフィールドセットを含むことができることが認識されよう。
【００８９】
図６Ｄは、より複雑なデータベース６００ｄを示す。データベース６００ｄは複数のデータフィールド（６１０ａ〜６１０ｎ、６２０ａ〜６２０ｎ、６３０ａ〜６３０ｎ、及び６４０ａ〜６４０ｎ）を含むことができ、そこでは各データフィールド内のエントリは特定の医療デバイスに関連付けられる。いくつかのフィールド（例えばデータフィールド６１０及び６２０）は、各関連付けられた医療デバイスに対する単一のデータエントリ、例えば医療デバイス識別コード（６１０ａ）及び医療デバイス状態インジケータ（６２０ａ）を含むことができる。他のデータフィールド（６３０ａ〜ｎ及び６４０ａ〜ｎ）は、サブフィールドに記憶された各医療デバイスに対する複数のデータエントリを含むことができる。図６Ｄに示すように、データフィールド６３０ａは、６３０ａ１、６３０ａ２、．．．、６３０ａｍなどのサブフィールドを含むことができ、データフィールド６４０ａは、６４０ａ１、６４０ａ２、．．．、６３０ａｍなどのサブフィールドを含むことができ、ｍは有限の整数値を有し、サブフィールドエントリ数を表す。
【００９０】
サブフィールドを含むデータフィールドは、医療デバイスの使用に関する履歴データを保持するのに有用であることができる。例えば、データフィールドは、５回の総使用など、デバイスの許可された使用の総数（６３０ａ）を含むことができ、各サブフィールドは、サブフィールド６３０ａ１の数１、サブフィールド６３０ａ２の数２、などの、個々の使用数を含むことができる。他のタイプのデータは、医療デバイスに供給されることを許可された総電力（例えば、データフィールド６４０ａにおいて）、及びデータフィールド６４０ａ１における最初の使用に対して、データフィールド６４０ａ２における２回目の使用に対して、など、各使用に対してデバイスに供給された電力量を、含むことができる。サブフィールドを含むそのようなデータフィールドに記憶され得る他の例示的な情報は、医療デバイス使用の総時間、医療デバイスが使用され得る最大時間、及び各使用のための時間量を含むことができる。データフィールド及びサブフィールドに記憶されたデータの例は限定的なものではなく、所与の医療デバイスの使用に関連する任意のデータを含むことができることが認識されよう。
【００９１】
図７Ａ、図７Ｂ、図８Ａ、及び図８Ｂは、本明細書に開示する医療デバイスシステムの使用に関連する方法のフロー図である。１つの非限定的な例では、これらの方法は、製造業者の施設（又は製造業者によって承認された第三者の施設）で製造される医療デバイスを考慮し、医療専門家又はヘルスケア施設などのエンドユーザに販売又はリースすることができる。デバイスは単回使用デバイス又は多使用（再使用可能）デバイスであることができる。各医療用途の後、多使用デバイスは、物理的洗浄、滅菌、機能的再認証（例えば、可動部分が正しく動作すること、又は組織への電気接点が必要な電気仕様を満たすこと）、又はそれらの組み合わせを含み得るが、これらに限定されない、保守を必要とする場合があるエンドユーザに販売又はリースすることができる。保守は、製造業者によって所有及び／又は運営されている施設、あるいは製造業者によって承認及び認定されている第三者によって所有及び／又は運営されている施設で実施することができる。
【００９２】
図７Ａは、医療デバイスの初期製造に関する方法の１つの非限定的な例のフロー図である。製造工程の一部として、各医療デバイスについて固有の識別子コードを生成することができる７０５。上記に開示したように、識別子コードは、定義された長さのプロセッサ可読文字の１つ又は２つ以上のストリングを含むことができ、ランダム文字又は医療デバイスに関する特徴付け情報を符号化する文字を含むことができる。次いで、識別子コードをエバイスメモリ記憶構成要素７１０に記憶することができる。更に、識別子コードは、医療デバイス識別コード７１２として、例えば新規のデータベースエントリとして、医療デバイスネットワークサーバに記憶されたデータベースにプログラムすることができる。
【００９３】
データベース構造に応じて（例えば、図６Ａ〜図６Ｄを参照）、デバイス製造プロセスの一部として追加の情報をデータベースに追加することができる。例えば、データベースは状態フィールドを含むことができ、これは適切なエントリ（「ＮＥＷ」など）でプログラムすることができる。許容される最大使用回数、デバイスによって供給される最大エネルギ、及びデバイスがアクティブに使用される最大時間などのデバイス履歴に関連付けられるデータも、適切なデータフィールド及びサブフィールドに入力することができる。更に、デバイスを特徴付けることができるデータベース内の追加のフィールド（モデル番号、ロット番号、シリアル番号、製造日、及び有効期限）に、新しく製造されたデバイスに適したデータを入れることができる。
【００９４】
医療デバイスネットワークサーバは製造業者の唯一の管理下にあり得ることに留意されたい。１つの非限定的な例では、医療デバイスネットワークサーバに記憶されるデータベースは、製造業者の限定された数の従業員だけにアクセス可能であることができる。別の非限定的な例では、認証又は認可された第三者（例えば、医療デバイスを再生又は再認証する契約を結んだ第三者）の従業員もデータベースにアクセスすることができる。ネットワークサーバメモリ記憶構成要素に記憶されたソフトウェア命令は、当該技術分野で知られているプロトコルに従って、製造業者又は第三者の従業員によるデータベースへのアクセスを制限又は制御するために使用され得ることが理解されよう。
【００９５】
図７Ｂは、多使用医療デバイスの保守手順に関連する方法の１つの非限定的な例のフロー図である。１つの非限定的な例では、特定の医療デバイスの識別子コードは、保守手順が完了した後に保持することができる。そのような例では、データベース内の同等の識別コードを保持することができる。代替の非限定的な例では、デバイスの識別子コードをデバイスメモリ記憶構成要素から読み取り（７２５）、新規の又は更新された識別子コードを生成することができる（７２７）。新規の又は更新された識別子コードは、デバイスメモリ記憶構成要素７３０に記憶することができる。同様に、新規の又は更新された識別子コードは、新規の又は更新された識別コード７３２としてデータベースに記憶することができる。１つの非限定的な例では、新規の識別コードはデータベース内の以前の識別コードを置き換えることができる。代替の非限定的な例では、新規の識別コードをデータベース内の新規のエントリとして追加することができ、以前の識別コードを保持又は削除することができる。
【００９６】
データベース内の追加のデータは、保守手順の一部として更新、変更、又は削除され得ることが理解されよう。例えば、データベース内の医療デバイスに関連付ける状態インジケータは、デバイスが再生又は再認証されたことを示すように設定することができる。保守手順前のデバイスの履歴使用に関連付けられ得るデータ（以前の実際の使用回数、デバイスの使用に関連付けられる時間量、及びデバイスによって供給される電力など）は、データベースから削除することができる。あるいは、事前履歴利用データを保持することができる。保守手順に関連する追加のデータも、１つ又は２つ以上の保守分野においてデータベースに追加することができる。保守関連データの非限定的な例は、保守日、医療デバイスに対して保守手順が実施された回数、保守を実施している施設の名称、デバイスを再認証する要員の名称、デバイスの再認証に関連付けられる試験データ、又はそれらの組み合わせ、を含むことができる。
【００９７】
図８Ａは、医療手順中のヘルスケア専門家による医療デバイスシステムの使用に関する方法の非限定的な一例のフロー図である。
【００９８】
医療デバイスは医療デバイスエネルギ源と接触させることができる。そのような接触は、２つのデバイス間にデータケーブルと電源ケーブルを固定することを含むことができる。あるいは、そのような接触は、コードレス医療デバイスを医療デバイスエネルギ源とドッキングさせること、及び２つのデバイス間で無線データ接続を確立させること、を含むことができる。医療デバイスエネルギ源は、医療デバイスが医療デバイスエネルギ源と接触する前に電力供給することができ、又は医療デバイスが医療デバイスエネルギ源と接触した後に電力供給することができる。更に、医療デバイスエネルギ源は、電力を供給されると、適切な通信チャネル（１つ又は２つ以上の通信インターフェース及び１つ又は２つ以上の通信プロトコルを含む）を介して医療デバイスネットワークサーバとの通信リンクを確立することができる。
【００９９】
医療デバイスが医療デバイスエネルギ源と接触した後、医療デバイスエネルギ源は医療デバイスからデバイス識別子コード７４０を読み取ることができる。いくつかの非限定的な例では、医療デバイスは、エネルギ源データインターフェースを介してデバイス識別子コード７４０を受信することができる。デバイス識別子コードは、デバイスメモリ記憶構成要素に記憶されてもよく、デバイスデータインターフェースと動作可能に通信しているエネルギ源データインターフェースを介して医療デバイスエネルギ源によって受信されてもよい。
【０１００】
１つの非限定的な代替例では、医療デバイスエネルギ源は、医療デバイスネットワークサーバ７４１に識別子コードを送信することができる。医療デバイスネットワークサーバは、識別子コードをデータベースに記憶された１つ又は２つ以上の識別コードと比較することができる。医療デバイスネットワークサーバは、識別子コードと等しい識別コードを有する医療デバイスに関連付けられたデータベース情報を医療デバイスエネルギ源に送信することによって応答することができる。
【０１０１】
あるいは、医療デバイスエネルギ源は、医療デバイスネットワークサーバにリクエストを送信して、データベースに関連付けられたデータを受信することができる。医療デバイスネットワークサーバは、医療デバイスネットワークサーバのメモリ記憶構成要素に記憶されたデータベース情報の全部又は一部分を医療デバイスエネルギ源に送信することによってリクエストに応答することができる。
【０１０２】
いずれの例でも、医療デバイスエネルギ源はサーバ７４２からデータベース情報を受信することができる。医療デバイスエネルギ源は、医療デバイスプロセッサによって実行されたときに、医療デバイスエネルギ源にデバイス７４４に供給するためのエネルギレベル（複数可）を決定させる命令を含むことができ、これは、部分的に、デバイス識別子コードデータベースから医療デバイスネットワークサーバによって供給されたデバイス識別コードとの比較に基づくことができる。
【０１０３】
医療デバイスエネルギ源は、医療デバイスに送達するための適切な電力レベルを設定し、及び／又は医療デバイスのデバイス選択肢７４６を設定することができる。電力レベルは、医療デバイスエネルギ源コンピューティングデバイスから受信した制御命令に基づいてエネルギ源によって設定することができる。上記に開示したように、エネルギレベルは治療又は非治療レベルの電力を含むことができる。治療量の非制限例は、組織を焼灼するためのエネルギ量、組織を収縮させるためのエネルギ量、又は、電気エネルギを受け取る医療デバイスのタイプに応じて組織を切断するためのエネルギ量など、組織に治療を施すのに必要なエネルギ量を含むことができる。非治療量のエネルギの非限定的な例は、組織インピーダンスを測定するためのエネルギ量又は医療デバイスの電子構成要素に電力を供給するためのエネルギ量を含む、組織に治療を施すのに十分ではないエネルギ量を含むことができる。エネルギ源によって供給される電気エネルギは、ＤＣ電圧、ＡＣ電圧、ＲＭＳ電圧、ＤＣ電流、ＡＣ電流、ＲＭＳ電流、周波数、パルス幅変調、又はそれらの任意の組み合わせに対して、制御することができる。
【０１０４】
医療デバイスが使用されている間、医療デバイスエネルギ源は、エネルギ源メモリ記憶構成要素にある量の医療デバイス使用データ７４８を記憶することができる。そのような使用データの非限定的な例は、医療デバイスがある量のエネルギを通電された総回数と、各通電ステップで医療デバイスに供給されるエネルギ量と、医療デバイスに供給される総エネルギ量と、各通電ステップに対してエネルギが医療デバイスに供給される時間の長さと、各通電ステップの前、最中、又は後に医療デバイスによって収集される測定データと、を含むことができる。そのような測定データの非制限的な例は、組織インピーダンス値及び組織温度値を含むことができる。
【０１０５】
医療デバイスエネルギ源によって取得された使用量データは、医療デバイスネットワークサーバ７５０にアップロードすることができる。そのようなデータは、医療デバイスが使用されている医療手順中又は医療デバイスの使用後にアップロードすることができる。限定なしに、タイムスタンプと、日付スタンプと、施設識別子（医療デバイスが使用される施設を識別する）、及び／又は使用されている医療デバイスの識別情報に関する任意の他の追加情報と、デバイスが使用される状況と、デバイスが使用される場所と、を含む追加情報を、医療デバイスネットワークサーバにアップロードすることができる。更に、医療デバイスエネルギ源は、医療デバイスネットワークサーバにデータをアップロードして、デバイス状態を含むがこれに限定されないインジケータのデータベースを更新することができる。いくつかの例では、医療デバイスエネルギ源は、医療デバイスネットワークサーバにデータをアップロードしてデバイス状態を更新し、デバイスが未使用又は使用中であることを示すことができる。
【０１０６】
上記に開示したような医療デバイスシステムの使用に関連する方法の１つの重要な機能は、医療デバイスエネルギ源によって医療デバイス７４４に供給されるエネルギレベルを判定するステップであることが理解されよう。図８Ｂは、この判定をするために使用され得る医療デバイスエネルギ源の機能のいくつかを示唆するフローチャートである。そのような判定の３つの特定の例が図８Ｂに示されているが、追加の又は代替の判定は、医療デバイスから得られる様々な情報及びデータに依存する医療デバイスエネルギ源によって、医療デバイスネットワークサーバによって、並びに／又は（１つ又は２つ以上のエネルギ源入力インターフェースを介して）１つ又は２つ以上のエネルギ源入力デバイスを介して医療デバイスエネルギ源ユーザによって、なされ得ることが認識されよう。
【０１０７】
図８Ｂに示すように、医療デバイスエネルギ源は、エネルギ源ネットワーク通信インターフェースを介して医療デバイスネットワークサーバ７４２からデータベース情報を受信することができる。医療デバイスエネルギ源は、データベース情報に少なくとも部分的に基づいて医療デバイス７４４に供給するためのエネルギレベルを判定することができる。図６Ａ〜図６Ｄに示すように、データベースは、そこに記憶された情報のタイプ及び量に応じて様々な構造のうちの１つを備えることができる。医療デバイス７４４に供給されるエネルギレベルの判定は、データベース構造によって判定されるように、医療デバイスネットワークサーバによって提示されるデータのタイプに基づくことができる。
【０１０８】
１つの非限定的な例では、医療デバイスエネルギ源は、図６Ａ及び図６Ｂに示されるデータベース構造を有するデータを、医療デバイスネットワークサーバからエネルギ源ネットワーク通信インターフェースを介して、受信することができる。医療デバイスエネルギ源は、上記に開示したようなプロセッサ可読文字の１つ（例えば、図６Ａの６１０ａ〜６１０ｎ）又は複数（例えば、図６Ｂの６１０ａ、６１０ａ’〜６１０ｎ、６１０ｎ’）のストリングを含み得る識別コードのリストを、医療デバイスネットワークサーバから受信することができる。次いで、医療デバイスエネルギ源は、識別コードのリストを医療デバイスから医療デバイスエネルギ源によって受信された識別子コードと比較することができる。次いで、医療デバイスエネルギ源は、識別コードのうちのいずれか１つが識別子コード８１０に等しいかどうかを判断することに基づいて、医療デバイスに供給するためのエネルギレベルを判断することができる。識別コード及び識別子コードが各々プロセッサ可読文字の複数のストリングを含む場合、医療デバイスエネルギ源は識別コード及び識別子コードを含む各々の複数のストリングを比較することが、理解されよう。そのような例では、医療デバイスエネルギ源は、医療デバイス識別子コードがデータベースにリストされた識別コードのうちの１つに等しい場合にのみ治療量のエネルギを医療デバイスに供給することができる。医療デバイスエネルギ源が、識別子コードが識別コードのうちの少なくとも１つと同じであると判定したとき、医療デバイスエネルギ源は、治療量のエネルギ、非治療量のエネルギ、又は治療及び非治療量のエネルギの組み合わせを、医療デバイスに、送達することができる。あるいは、医療デバイスエネルギ源が、識別子コードが識別コードのうちの少なくとも１つと同じではないと判定した場合、医療デバイスエネルギ源は、医療デバイスにエネルギを供給しないか、又は非治療量のエネルギのみを供給することができる。
【０１０９】
別の非限定的な例では、医療デバイスエネルギ源は、図６Ｃに示されるデータベース構造を有するデータを、医療デバイスネットワークサーバから受信することができる。そのようなデータベースは、図６Ｃの識別コード６１０ａ〜６１０ｎと共に、図６Ｃのデバイス状態情報６２０ａ〜６２０ｎを含むことができる。医療デバイスエネルギ源は、上記に開示したように、識別コードのうちのいずれか１つが識別子コード８１０に等しいかどうかを判定することができる。更に、医療デバイスエネルギ源は、識別子と識別コード８１０の同等性に加えて、医療デバイス識別子コードに等しい医療デバイス識別コードに対応する状態情報８２０に基づいて、医療デバイス７４４に供給するためのエネルギレベルの量を判定することができる。例えば、医療デバイスの識別子コードは、データベースに含まれる識別コードと同じであり得るが、その医療デバイスの状態は、それが使用済みで再利用されるべきではないことを示すことができる。その結果、その医療デバイスはデータベース内にリストされたデバイスであり得るが、それが使用済みであり、再生されていないため、医療デバイスエネルギ源は、治療量のエネルギをその医療デバイスに供給しない命令を含むことができる。あるいは、医療デバイスの識別子コードは、データベースに含まれる識別コードと同じであることができ、その医療デバイスの状態は、それが新規であるか、未使用であるか、又は再生されていることを示すことができる。医療デバイスエネルギ源は、そのような状態インジケータを有するデバイスに有効量又は治療量のエネルギを供給することを可能にするための命令を含むことができる。
【０１１０】
更に別の非限定的な例では、医療デバイスエネルギ源は、図６Ｄに示すデータベース構造からデータを受信することができる。そのようなデータベースは、デバイス状態情報６２０ａ〜６２０ｎ及び識別コード６１０ａ〜６１０ｎと共に６３０（６３０ａ１〜６３０ａｍから６３０ｎ１〜６３０ｎｍ）まで）及び６４０（６４０ａ〜６４０ａｍから６４０ｎ〜６４０ｎｍまで）など、複数のデータベースフィールドに維持されている追加のデバイスデータを含むことができる。医療デバイスエネルギ源は、上記に開示したように、識別コードのうちのいずれか１つが識別子コード８１０に等しいかどうかを判定することができる。医療デバイスエネルギ源は、医療デバイスに関連付けられた状態情報８２０を考慮することもできる。更に、医療デバイスエネルギ源は、追加データ８３０に基づいて医療デバイスに供給するエネルギ量を判定することができる。
【０１１１】
一例として、医療デバイス識別子コードは、受容可能な医療デバイス識別コードの中にリストされてもよく、医療デバイスは、「新規」又は「未使用」の状態を有してもよい。しかし、（データベース内の追加のフィールドのうちの１つから判定されるように）有効期限後に医療デバイスを使用しようとすると、医療デバイスエネルギ源は医療デバイスに治療量のエネルギを供給することができない。別の例では、医療デバイスエネルギ源は、医療デバイスが使用できる回数、又はデバイスの各使用に対して医療デバイスに供給されるエネルギ量、又は医療デバイスに供給できる総エネルギ量に関して、医療デバイスネットワークサーバから、データベースの一部として追加データを受信することができる。医療デバイスの使用中、医療デバイスエネルギ源は、デバイスの使用回数、各使用中に供給されたエネルギ量、及びデバイスが通電されている間の時間量を追跡することができる。医療デバイスのエネルギ源は、使用限界に達すると（例えば、デバイスに通電された回数、デバイスに通電された時間量、又はデバイスに供給される総エネルギ量など）、デバイスへの追加の治療用エネルギの供給を停止するようにプログラムすることができる。
【０１１２】
用語「近位」及び「遠位」は、本明細書を通して、患者を処置するために使用される器具の一端部を操作する臨床医に関して、使用されることが理解されよう。用語「近位」は臨床医に近接する器具の部分を指し、用語「遠位」は臨床医から最も離れた位置にある部分を指す。簡潔にするため、また明確にするために、「垂直」、「水平」、「上」、「下」などの空間的用語は、本明細書において、例示した実施形態に関して使用され得ることが、更に理解されよう。しかしながら、外科用器具は、多くの向き及び位置で使用することができ、これらの用語は、限定的又は絶対的であることを意図したものではない。
【０１１３】
外科用器具及びロボット外科用システムの様々な態様が本明細書に記載される。本明細書に記載の様々な態様が、記載された外科用器具及びロボット外科用システムで使用できることが、当業者によって理解されよう。説明は例示ためにのみ提供されており、当業者は、開示された例が本明細書に開示されるデバイスのみに制限されず、任意の互換性を有する外科用器具又はロボット外科用システムで使用できることを理解するであろう。
【０１１４】
本明細書の全体を通じて、「様々な態様」、「いくつかの態様」、「一例」、又は「一態様」などへの言及は、その態様との関連において記載される特定の機能、構造、又は特徴が、少なくとも１つの例に含まれることを意味する。したがって、本明細書の全体を通じて適所において、「様々な態様において」、「いくつかの態様において」、「一例において」、又は「一態様において」などの語句が出現するが、これらは必ずしも同じ態様を指すわけではない。更に、１つの例に関して図示又は記載される特定の機能、構造、又は特徴は、１つ又は２つ以上の他の態様の特徴、構造、又は特性と、全体として又は部分的に、限定なしに組み合わせることができる。
【０１１５】
本明細書中の様々な態様はいくつかの態様の記載によって説明されており、例示的な実施形態がかなり詳細に説明されているが、添付の特許請求の範囲をそのような詳細に制限するか又はいかなる方法でも限定することは、本出願人の意図ではない。当業者には更なる効果及び改変がただちに明らかとなり得る。例えば、概して、内視鏡手術は腹腔鏡手術よりも一般的である。したがって、本発明は内視鏡手術及び装置との関連において述べた。しかしながら、本願における「内視鏡」などの用語の使用は、本発明を内視鏡管（例えばトロカール）との組み合わせにおいてのみ使用される器具に限定するものとして解釈されるべきではない。むしろ本発明は、腹腔鏡外科用及び開放外科用などを含むがこれらに限定されない、小さな切開創にアクセスが限定されるあらゆる外科用に用途を見出し得るものと考えられる。
【０１１６】
本明細書における図及び説明の少なくとも一部は、開示を明確に理解するのに関連する要素を示すために簡素化されており、明確にする目的でその他の要素を排除していることを理解すべきである。しかしながら、当業者は、これらの及びその他の要素が望ましい可能性があることを認識するであろう。しかしながら、そのような要素は当該技術分野において周知であり、それらは本開示のよりよい理解を促進しないため、本明細書ではそのような要素についての説明はしない。
【０１１７】
いくつかの態様を説明してきたが、本開示の利点の一部又はすべてを習得した当業者は、これらの実施形態に対する様々な修正、変更及び適合を想起することができることは明白であろう。例えば、様々な態様によれば、所与の機能を実行するために、単一の構成要素が複数の構成要素で置き換えられてもよく、複数の構成要素が単一の構成要素で置き換えられてもよい。本願はしたがって、添付の特許請求の範囲で定義される本開示の範囲及び趣旨を逸脱することなく、そのようなすべての修正、変更、及び改作を網羅することを意図したものである。
【０１１８】
全体又は部分的に、参照により本明細書に組み込まれると言及されるいずれの特許、刊行物又はその他の開示物も、組み込まれる内容が既存の定義、記述、又は本開示に記載されているその他の開示物と矛盾しない範囲でのみ本明細書に組み込まれるものとする。それ自体、また必要な範囲で、本明細書に明瞭に記載される開示内容は、参照により本明細書に組み込まれるあらゆる矛盾する記載に優先するものとする。参照により本明細書に組み込まれるものとするが、既存の定義、記述、又は本明細書に記載される他の開示文献と矛盾する任意の文献、又はそれらの部分は、組み込まれる文献と既存の開示内容との間に矛盾が生じない範囲においてのみ組み込まれるものとする。
【０１１９】
本明細書に記載される主題の様々な態様は、以下の付番された節において説明される。
節１．医療デバイスエネルギ源であって、
エネルギ源と、
エネルギ源から電気エネルギを送達するように構成されたエネルギ源電力インターフェースと、
エネルギ源コンピューティングデバイスと、を備え、エネルギ源コンピューティングデバイスが、
エネルギ源プロセッサユニットと、
エネルギ源プロセッサユニットと動作可能に通信するエネルギ源メモリ記憶構成要素と、
エネルギ源プロセッサユニットと動作可能に通信するエネルギ源ネットワーク通信インターフェースと、
エネルギ源プロセッサユニットと動作可能に通信するエネルギ源データインターフェースと、を含み、
エネルギ源コンピューティングデバイスは、エネルギ源の機能を制御するように構成され、
エネルギ源メモリ記憶構成要素は、エネルギ源プロセッサユニットによって実行されたとき、エネルギ源コンピューティングデバイスに、
エネルギ源データインターフェースを介して識別子コードを受信させ、
エネルギ源ネットワーク通信インターフェースを介して複数の医療デバイス識別コードを受信させ、
識別子コードを複数の医療デバイス識別コードの各々と比較させ、
識別子コードと複数の医療デバイス識別コードの各々との比較に基づいてエネルギ源の機能を制御させる、命令を含む、医療デバイスエネルギ源。
【０１２０】
節２．識別子コードは２つの識別子ストリングを含み、２つの識別子ストリングの各々がプロセッサ可読文字のストリングを含む、節１に記載の医療デバイスエネルギ源。
【０１２１】
節３．エネルギ源コンピューティングデバイスに識別子コードを複数の医療デバイス識別コードの各々と比較させる命令は、エネルギ源コンピューティングデバイスに２つの識別子ストリングの各々と医療デバイス識別コードの各々を含む２つの識別ストリングの各々とを比較させる命令を含む、節２に記載の医療デバイスエネルギ源。
【０１２２】
節４．識別子コードは、ランダムに生成されたプロセッサ可読文字のストリングを含む少なくとも１つの識別子ストリングを含む、節１〜３のいずれか一節に記載の医療デバイスエネルギ源。
【０１２３】
節５．エネルギ源メモリ記憶構成要素は、エネルギ源プロセッサユニットによって実行されたとき、エネルギ源コンピューティングデバイスに、エネルギ源ネットワーク通信インターフェースを介して複数の医療デバイス状態インジケータを更に受信させる命令を含み、各医療デバイス状態インジケータは、複数の医療デバイス識別コードの各々に対応する、節１〜４のいずれか一節に記載の医療デバイスエネルギ源。
【０１２４】
節６．エネルギ源コンピューティングデバイスにエネルギ源の機能を制御させる命令は、識別子コードに等しい医療デバイス識別コードに対応する医療デバイス状態インジケータに基づいて、エネルギ源コンピューティングデバイスにエネルギ源の機能を制御させる命令を更に含む、節５に記載の医療デバイスエネルギ源。
【０１２５】
節７．エネルギ源メモリ記憶構成要素は、エネルギ源プロセッサユニットによって実行されたときに、エネルギ源コンピューティングデバイスに、エネルギ源メモリ記憶構成要素内に、
エネルギ源によって供給されるエネルギ量に対応する通電値、
エネルギ源がある量のエネルギを供給する時間の長さに対応する通電時間値、
エネルギ源がある量のエネルギを供給する回数に対応する通電数、
又はそれらの組み合わせ、を更に保持させる命令を含む、節１〜６のいずれか一節に記載の医療デバイスエネルギ源。
【０１２６】
節８．エネルギ源コンピューティングデバイスにエネルギ源の機能を制御させる命令は、エネルギ源コンピューティングデバイスに、通電値、通電時間値、及び通電数の１つ以上に基づいて、エネルギ源の機能を制御させる命令を更に含む、節７に記載の医療デバイスエネルギ源。
【０１２７】
節９．エネルギ源電力インターフェースはドッキングステーションを含む、節１〜８のいずれか一節に記載の医療デバイスエネルギ源。
【０１２８】
節１０．エネルギ源データインターフェースは、医療デバイスからデータを受信するように構成されている、節１〜９のいずれか一節に記載の医療デバイスエネルギ源。
【０１２９】
節１１．エネルギ源データインターフェースは、データを医療デバイスに送信するように構成されている、節１〜１０のいずれか一節に記載の医療デバイスエネルギ源。
【０１３０】
節１２．エネルギ源プロセッサユニットと動作可能に通信するユーザディスプレイを更に含む、節１〜１１のいずれか一節に記載の医療デバイスエネルギ源。
【０１３１】
節１３．エネルギ源ネットワーク通信インターフェースが、有線インターネットインターフェース、無線インターネットインターフェース、ＷｉＦｉインターフェース、ＢｌｕｅＴｏｏｔｈインターフェース、ＬＡＮインターフェース、ＷＡＮインターフェース、電話インターフェース、セルラインターフェース、及び光インターフェースのうちの１つ以上を含む、節１〜１２のいずれか一節に記載の医療デバイスエネルギ源。
【０１３２】
節１４．エネルギ源データインターフェースは、シリアルデータインターフェース、パラレルデータインターフェース、無線インターフェース、及び光学インターフェースのうちの１つ以上を含む、節１〜１３のいずれか一節に記載の医療デバイスエネルギ源。
【０１３３】
節１５．医療デバイスシステムであって、
医療デバイスであって、
識別子コードを記憶するように構成されたデバイスメモリ記憶構成要素、
メモリ記憶構成要素と動作可能に接続されているデバイスデータインターフェース、及び
エネルギ源から電力を受信するように構成されたデバイス電力インターフェース、を含む、医療デバイスと、
医療デバイスエネルギ源であって、
エネルギ源、
デバイス電力インターフェースと動作可能に通信し、電気エネルギをエネルギ源から医療デバイスに送達するように構成されたエネルギ源電力インターフェース、及び
エネルギ源コンピューティングデバイス、を含み、エネルギ源コンピューティングデバイスが、
エネルギ源プロセッサユニット、
エネルギ源プロセッサユニットと動作可能に通信するエネルギ源メモリ記憶構成要素、
エネルギ源プロセッサユニットと動作可能に通信し、データを通信ネットワークと送受信するように構成された、エネルギ源ネットワーク通信インターフェース、及び
デバイスデータインターフェースと動作可能に接続されたエネルギ源データインターフェースと、を含み、
エネルギ源コンピューティングデバイスが、エネルギ源の機能を制御するように構成されている、医療デバイスエネルギ源と、
医療デバイスネットワークサーバであって、
ネットワークサーバプロセッサユニット、
ネットワークサーバプロセッサユニットと動作可能に通信し、複数の医療デバイス識別コード及び対応する医療デバイス状態インジケータを含む医療デバイスデータベースを記憶するように構成された、ネットワークサーバメモリ記憶構成要素、並びに
ネットワークサーバプロセッサユニットと動作可能に通信し、通信ネットワークを介して少なくとも１つの医療デバイス電源とデータを送受信するように構成された、ネットワークサーバ通信インターフェース、を含む、医療デバイスネットワークサーバと、を備え、
エネルギ源メモリ記憶構成要素は、エネルギ源プロセッサユニットによって実行されたとき、エネルギ源コンピューティングデバイスに、
デバイスメモリ記憶構成要素から識別子コードを受信させ、
ネットワークサーバメモリ記憶構成要素から、医療デバイスデータベースからの複数の医療デバイス識別コードを受信させ、
識別子コードを複数の医療デバイス識別コードの各々と比較させ、
少なくとも１つの識別子コードと複数の医療デバイス識別コードとの比較に基づいてエネルギ源の機能を制御させる、命令を含む、医療デバイスシステム。
【０１３４】
節１６．識別子コードは２つの識別子ストリングを含み、２つの識別子ストリングの各々がプロセッサ可読文字のストリングを含む、節１５に記載の医療デバイスシステム。
【０１３５】
節１７．エネルギ源コンピューティングデバイスに識別子コードを複数の医療デバイス識別コードの各々と比較させる命令は、エネルギ源コンピューティングデバイスに２つの識別子ストリングの各々と医療デバイス識別コードの各々を含む２つの識別ストリングの各々とを比較させる命令を含む、節１６に記載の医療デバイスシステム。
【０１３６】
節１８．識別子コードと複数の医療デバイス識別コードのそれぞれとの比較に基づいてエネルギ源コンピューティングデバイスにエネルギ源の機能を制御させる命令は、識別子コードが複数の医療デバイス識別コードのうちの少なくとも１つに等しいときに、エネルギ源にエネルギ源電力インターフェースを介して医療デバイスに有効量の電気エネルギを送達させるための命令を含む、節１５〜１７のいずれか一節に記載の医療デバイスシステム。
【０１３７】
節１９．有効量の電気エネルギは、医療デバイスへの、治療エネルギ量、非治療エネルギ量、又は治療及び非治療エネルギ量の両方、を含む、節１８に記載の医療デバイスシステム。
【０１３８】
節２０．識別子コードと複数の医療デバイス識別コードの各々との比較に基づいてエネルギ源コンピューティングデバイスにエネルギ源の機能を制御させる命令は、識別子コードが複数の医療デバイス識別コードのいずれにも等しくない場合に、エネルギ源コンピューティングデバイスに、エネルギ源電力インターフェースを介してエネルギ源が医療デバイスに有効量の電気エネルギを供給しないようにさせる命令を含む、節１５〜１９のいずれか一節に記載の医療デバイスシステム。
【０１３９】
節２１．エネルギ源コンピューティングデバイスに、エネルギ源電力インターフェースを介してエネルギ源に医療デバイスに有効量の電気エネルギを送達させないようにさせる命令は、エネルギ源計算デバイスに、エネルギ源に非治療量のエネルギを医療デバイスに送達させるための命令を含む、節２０に記載の医療デバイスシステム。
【０１４０】
節２２．エネルギ源メモリ記憶構成要素は、エネルギ源プロセッサユニットによって実行されたときに、エネルギ源コンピューティングデバイスに、医療デバイスが医療デバイスエネルギ源と機能的に通信していると更に判定させる命令を含む、節１５〜２１のいずれか一節に記載の医療デバイスシステム。
【０１４１】
節２３．エネルギ源コンピューティングデバイスに、医療デバイスが医療デバイスエネルギ源と機能的に通信していることを判定させる命令は、エネルギ源電力インターフェースがデバイス電力インターフェースと動作可能に通信していること、及びエネルギ源データインターフェースがデバイスデータインターフェースと動作可能に接続されていることをエネルギ源コンピューティングデバイスに判定させる命令を含む、節２２に記載の医療デバイスシステム。
【０１４２】
節２４．エネルギ源メモリ記憶構成要素は、エネルギ源プロセッサユニットによって実行されたとき、医療デバイスが医療デバイスエネルギ源と機能的に通信していない場合、エネルギ源コンピューティングデバイスに、エネルギ源電力インターフェースを介して有効量の電気エネルギを医療デバイスに送達させないように更にさせる、節２２に記載の医療デバイスシステム。
【０１４３】
節２５．エネルギ源メモリ記憶構成要素は、エネルギ源プロセッサユニットによって実行されたとき、エネルギ源コンピューティングデバイスに、エネルギ源ネットワーク通信インターフェースを介して、複数の医療デバイス状態インジケータを更に受信させ、複数の医療デバイス状態インジケータの各々が、複数の医療デバイス識別コードの各々に対応する、節１５〜２４のいずれか一節に記載の医療デバイスシステム。
【０１４４】
節２６．エネルギ源コンピューティングデバイスにエネルギ源の機能を制御させる命令は、識別子コードに等しい医療デバイス識別コードに対応する医療デバイス状態インジケータに基づいて、エネルギ源コンピューティングデバイスにエネルギ源の機能を制御させる命令を更に含む、節２５に記載の医療デバイスシステム。
【０１４５】
節２７．複数の医療デバイス状態インジケータの各々が、「新規のデバイス」、「未使用デバイス」、「使用済みデバイス」、及び「再生デバイス」の群から選択される、節２５に記載の医療デバイスシステム。
【０１４６】
節２８．エネルギ源メモリ記憶構成要素は、エネルギ源プロセッサユニットによって実行されたとき、識別子コードに等しい医療デバイス識別コードに対応する医療デバイス状態インジケータの値が、「新規のデバイス」、「未使用デバイス」、及び「再生デバイス」の群から選択される場合、エネルギ源コンピューティングデバイスにエネルギ源電力インターフェースを介して医療デバイスに有効量の電気エネルギを供給させる命令を更に含む、節２７に記載の医療デバイスシステム。
【０１４７】
節２９．エネルギ源メモリ記憶構成要素は、エネルギ源プロセッサユニットによって実行されたとき、識別子コードに等しい医療デバイス識別コードに対応する医療デバイス状態インジケータの値が「使用済みデバイス」である場合、エネルギ源コンピューティングデバイスにエネルギ源がエネルギ源電力インターフェースを介して医療デバイスに有効量の電気エネルギを供給しないようにさせる命令を更に含む、節２７に記載の医療デバイスシステム。
【０１４８】
節３０．エネルギ源メモリ記憶構成要素は、エネルギ源プロセッサユニットによって実行されたとき、エネルギ源コンピューティングデバイスに、識別子コードに等しい医療デバイス識別コードに対応する医療デバイス状態インジケータを更新するためのデータを、医療デバイスネットワークサーバに送信させる命令を更に含む、節１５〜２９のいずれか一節に記載の医療デバイスシステム。
【０１４９】
節３１．識別子コードに等しい医療デバイス識別コードに対応する医療デバイス状態インジケータは、「未使用デバイス」及び「使用済みデバイス」の群から選択される、節３０に記載の医療デバイスシステム。
【０１５０】
節３２．ネットワークサーバメモリ記憶構成要素は、ネットワークサーバプロセッサユニットによって実行されたとき、ネットワークサーバプロセッサユニットに、
医療デバイスエネルギ源から、識別子コードに等しい医療デバイス識別コードに対応する医療デバイス状態インジケータを更新するためのデータを受信させ、
識別子コードに等しい医療デバイス識別コードに対応するデータベース内の状態インジケータを更新させる、命令を含む、節３０に記載の医療デバイスシステム。
【０１５１】
節３３．医療デバイスデータベースは、医療デバイスデータベース内の医療デバイス識別コードの各々に対応する１つ又は２つ以上の追加のインジケータを更に含む、節１５〜３２のいずれか一節に記載の医療デバイスシステム。
【０１５２】
節３４．エネルエネルギ源メモリ記憶構成要素は、エネルギ源プロセッサユニットによって実行されたとき、エネルギ源コンピューティングデバイスに、エネルギ源メモリ記憶構成要素内に、
全医療デバイスの使用のインジケータ、
全医療デバイスの使用の各使用に対する、
医療デバイスエネルギ源によって医療デバイスに供給される電力量、及び
医療デバイスエネルギ源がエネルギの量を医療デバイスに供給する時間の長さ、のインジケータ、
全医療デバイスの使用にわたって医療デバイスエネルギ源によって医療デバイスに供給される総電力量、
又はそれらの任意の組み合わせ、を記憶させる命令を更に含む、節１５〜３３のいずれか一節に記載の医療デバイスシステム。
【０１５３】
節３５．１つ又は２つ以上の追加のインジケータは、
全医療デバイスの使用のインジケータと、
全医療デバイスの使用の各使用に対する、
医療デバイスエネルギ源によって医療デバイスに供給される電力量、及び
医療デバイスエネルギ源がエネルギの量を医療デバイスに供給する時間の長さ、のインジケータと、
全医療デバイスの使用にわたって医療デバイスエネルギ源によって医療デバイスに供給される総電力量と、
医療デバイス製品番号と、
医療デバイスシリアル番号と、
医療デバイスロット番号と、
医療デバイス製造日時と、
医療デバイス有効期限と、を含む、節３４に記載の医療デバイスシステム。
【０１５４】
節３６．エネルギ源メモリ記憶構成要素は、エネルギ源プロセッサユニットによって実行されたとき、エネルギ源コンピューティングデバイスに、
医療デバイスネットワークサーバから、医療デバイスデータベース内の医療デバイス識別コードの各々に対応する１つ又は２つ以上の追加のインジケータの値を受信させ、
識別子コードに等しい医療デバイス識別コードに対応する１つ又は２つ以上の追加のインジケータの値に基づいてエネルギ源の機能を制御させる、命令を更に含む、節３４に記載の医療デバイスシステム。
【０１５５】
節３７．ネットワークサーバメモリ記憶構成要素は、ネットワークサーバプロセッサユニットによって実行されたとき、ネットワークサーバプロセッサユニットに、医療デバイスエネルギ源から、医療デバイスデータベース内の医療デバイス識別コードの各々に対応する１つ又は２つ以上の追加のインジケータの値を受信させ、医療デバイスデータベース内の医療デバイス識別コードの各々に対応する１つ又は２つ以上の追加のインジケータの値を更新させる、命令を含む、節３４に記載の医療デバイスシステム。
【０１５６】
節３８．デバイスメモリ記憶構成要素は、ＲＯＭ構成要素、ＰＲＯＭ構成要素、ＥＰＲＯＭ構成要素、ＥＥＰＲＯＭ構成要素、及びＲＦＩＤ構成要素のうちの１つ又は２つ以上を含む、節１５〜３７のいずれか一節に記載の医療デバイスシステム。
【０１５７】
節３９．通信ネットワークは、ＬＡＮ、ＷＡＮ、ＷｉＦｉネットワーク、ＢｌｕｅＴｏｏｔｈネットワーク、インターネットクラウドネットワーク、及びセルラーネットワークのうちの１つ又は２つ以上を含む、節１５〜３８のいずれか一節に記載の医療デバイスシステム。
【０１５８】
節４０．医療デバイスを制御する方法であって、
エネルギ源プロセッサユニットと動作可能に通信するエネルギ源データインターフェースを介して医療デバイスエネルギ源によって、医療デバイスからの識別子コードを受信することと、
エネルギ源プロセッサユニットと動作可能に通信しているメモリ源メモリ記憶構成要素に、医療デバイスエネルギ源によって、識別子コードを記憶することと、
エネルギ源プロセッサユニットと動作可能に通信するエネルギ源ネットワーク通信インターフェースを介して医療デバイスエネルギ源によって、医療デバイスネットワークサーバから複数の医療デバイス識別コードを受信することと、
エネルギ源プロセッサユニットによって、識別子コードと複数の医療デバイス識別コードの各々とを比較することと、
エネルギ源プロセッサユニットによって、識別子コードと複数の医療デバイス識別コードとの間の比較に基づいて、エネルギ源電力インターフェースを介してエネルギ源によって医療デバイスに送達されるエネルギ量を制御することと、
エネルギ源プロセッサユニットを含むエネルギ源コンピューティングデバイスによって動作可能に制御されるユーザディスプレイ上に、エネルギ源によって医療デバイスに送達されたエネルギ量に対応する情報を表示することと、を含む、方法。
【０１５９】
節４１．エネルギ源ネットワーク通信インターフェースを介して医療デバイスエネルギ源によって複数の医療デバイス状態インジケータを受信することを更に含み、複数の医療デバイス状態インジケータの各々が複数の医療デバイス識別コードの各々に対応する、節４０に記載の方法。
【０１６０】
節４２．エネルギ源プロセッサユニットによって、識別子コードに等しい医療デバイス識別コードに対応する医療デバイス状態インジケータに基づいて、エネルギ源電力インターフェースを介してエネルギ源によって医療デバイスに送達されるエネルギ量を制御することを更に含む、節４１に記載の方法。
【０１６１】
節４３．医療デバイスエネルギ源によって医療デバイスに、医療デバイスの少なくとも１つの機能を制御するための制御データを送信することを更に含む、節４０〜４２のいずれか一節に記載の方法。
【０１６２】
節４４．医療デバイスエネルギ源によって医療デバイスの少なくとも１つの機能を制御するための制御データを送信することは、識別コードが複数の医療デバイス識別コードのいずれの１つにも等しくない場合、医療デバイスエネルギ源によって、医療デバイスの少なくとも１つの機能を制御するために制御データを送信することを含む、節４３に記載の方法。
【０１６３】
節４５．識別子コードに等しい医療デバイス識別コードに対応する医療デバイス状態インジケータに基づいて、医療デバイスエネルギ源によって医療デバイスに、医療デバイスの少なくとも１つの機能を制御するための制御データを送信することを更に含む、節４１に記載の方法。
【０１６４】
〔実施の態様〕
（１）  医療デバイスエネルギ源であって、
エネルギ源と、
前記エネルギ源から電気エネルギを送達するように構成されたエネルギ源電力インターフェースと、
エネルギ源コンピューティングデバイスと、を備え、前記エネルギ源コンピューティングデバイスが、
エネルギ源プロセッサユニットと、
前記エネルギ源プロセッサユニットと動作可能に通信するエネルギ源メモリ記憶構成要素と、
前記エネルギ源プロセッサユニットと動作可能に通信するエネルギ源ネットワーク通信インターフェースと、
前記エネルギ源プロセッサユニットと動作可能に通信するエネルギ源データインターフェースと、を含み、
前記エネルギ源コンピューティングデバイスは、前記エネルギ源の機能を制御するように構成され、
前記エネルギ源メモリ記憶構成要素は、前記エネルギ源プロセッサユニットによって実行されたとき、前記エネルギ源コンピューティングデバイスに、
前記エネルギ源データインターフェースを介して識別子コードを受信させ、
前記エネルギ源ネットワーク通信インターフェースを介して複数の医療デバイス識別コードを受信させ、
前記識別子コードを前記複数の医療デバイス識別コードの各々と比較させ、
前記識別子コードと前記複数の医療デバイス識別コードの各々との前記比較に基づいて前記エネルギ源の前記機能を制御させる、命令を含む、医療デバイスエネルギ源。
（２）  前記識別子コードは２つの識別子ストリングを含み、前記２つの識別子ストリングの各々がプロセッサ可読文字のストリングを含む、実施態様１に記載の医療デバイスエネルギ源。
（３）  前記エネルギ源コンピューティングデバイスに前記識別子コードを前記複数の医療デバイス識別コードの各々と比較させる前記命令は、前記エネルギ源コンピューティングデバイスに前記２つの識別子ストリングの各々と前記医療デバイス識別コードの各々を含む２つの識別ストリングの各々とを比較させる命令を含む、実施態様２に記載の医療デバイスエネルギ源。
（４）  前記エネルギ源メモリ記憶構成要素は、前記エネルギ源プロセッサユニットによって実行されたとき、前記エネルギ源コンピューティングデバイスに、前記エネルギ源ネットワーク通信インターフェースを介して複数の医療デバイス状態インジケータを更に受信させる命令を含み、各医療デバイス状態インジケータは、前記複数の医療デバイス識別コードの各々に対応する、実施態様１に記載の医療デバイスエネルギ源。
（５）  前記エネルギ源コンピューティングデバイスに前記エネルギ源の前記機能を制御させる前記命令は、前記識別子コードに等しい医療デバイス識別コードに対応する前記医療デバイス状態インジケータに基づいて、前記エネルギ源コンピューティングデバイスに前記エネルギ源の前記機能を制御させる命令を更に含む、実施態様４に記載の医療デバイスエネルギ源。
【０１６５】
（６）  前記エネルギ源メモリ記憶構成要素は、前記エネルギ源プロセッサユニットによって実行されたときに、前記エネルギ源コンピューティングデバイスに、前記エネルギ源メモリ記憶構成要素内に、
前記エネルギ源によって供給されるエネルギ量に対応する通電値（energizer value）、
前記エネルギ源がある量のエネルギを供給する時間の長さに対応する通電時間値、
前記エネルギ源がある量のエネルギを供給する回数に対応する通電数、
又はそれらの組み合わせ、を更に保持させる命令を含む、実施態様１に記載の医療デバイスエネルギ源。
（７）  前記エネルギ源プロセッサユニットと動作可能に通信するユーザディスプレイを更に備える、実施態様１に記載の医療デバイスエネルギ源。
（８）  医療デバイスシステムであって、
医療デバイスであって、
識別子コードを記憶するように構成されたデバイスメモリ記憶構成要素、
前記メモリ記憶構成要素と動作可能に接続されたデバイスデータインターフェース、及び
エネルギ源から電力を受信するように構成されたデバイス電力インターフェース、を含む、医療デバイスと、
医療デバイスエネルギ源であって、
前記エネルギ源、
前記デバイス電力インターフェースと動作可能に通信し、電気エネルギを前記エネルギ源から前記医療デバイスに送達するように構成されたエネルギ源電力インターフェース、及び
エネルギ源コンピューティングデバイス、を含み、前記エネルギ源コンピューティングデバイスが、
エネルギ源プロセッサユニット、
前記エネルギ源プロセッサユニットと動作可能に通信するエネルギ源メモリ記憶構成要素、
前記エネルギ源プロセッサユニットと動作可能に通信し、データを通信ネットワークと送受信するように構成された、エネルギ源ネットワーク通信インターフェース、及び
前記デバイスデータインターフェースと動作可能に接続されたエネルギ源データインターフェース、を含み、
前記エネルギ源コンピューティングデバイスが、前記エネルギ源の機能を制御するように構成されている、医療デバイスエネルギ源と、
医療デバイスネットワークサーバであって、
ネットワークサーバプロセッサユニット、
前記ネットワークサーバプロセッサユニットと動作可能に通信し、複数の医療デバイス識別コード及び対応する医療デバイス状態インジケータを含む医療デバイスデータベースを記憶するように構成された、ネットワークサーバメモリ記憶構成要素、並びに
前記ネットワークサーバプロセッサユニットと動作可能に通信し、前記通信ネットワークを介して少なくとも１つの医療デバイス電源とデータを送受信するように構成された、ネットワークサーバ通信インターフェース、を含む、医療デバイスネットワークサーバと、を備え、
前記エネルギ源メモリ記憶構成要素は、前記エネルギ源プロセッサユニットによって実行されたとき、前記エネルギ源コンピューティングデバイスに、
前記デバイスメモリ記憶構成要素から前記識別子コードを受信させ、
前記ネットワークサーバメモリ記憶構成要素から、前記医療デバイスデータベースからの前記複数の医療デバイス識別コードを受信させ、
前記識別子コードを前記複数の医療デバイス識別コードの各々と比較させ、
前記少なくとも１つの識別子コードと前記複数の医療デバイス識別コードとの前記比較に基づいて前記エネルギ源の前記機能を制御させる、命令を含む、医療デバイスシステム。
（９）  前記識別子コードは２つの識別子ストリングを含み、前記２つの識別子ストリングの各々がプロセッサ可読文字のストリングを含み、
前記エネルギ源コンピューティングデバイスに前記識別子コードを前記複数の医療デバイス識別コードの各々と比較させる前記命令は、前記エネルギ源コンピューティングデバイスに前記２つの識別子ストリングの各々と前記医療デバイス識別コードの各々を含む２つの識別ストリングの各々とを比較させる命令を含む、実施態様８に記載の医療デバイスシステム。
（１０）  前記エネルギ源メモリ記憶構成要素は、前記エネルギ源プロセッサユニットによって実行されたとき、前記エネルギ源コンピューティングデバイスに、前記エネルギ源ネットワーク通信インターフェースを介して複数の医療デバイス状態インジケータを更に受信させる命令を含み、前記複数の医療デバイス状態インジケータの各々が、前記複数の医療デバイス識別コードの各々に対応し、
前記エネルギ源コンピューティングデバイスに前記エネルギ源の前記機能を制御させる前記命令は、前記エネルギ源コンピューティングデバイスに、前記識別子コードに等しい医療デバイス識別コードに対応する医療デバイス状態インジケータに基づいて、前記エネルギ源の前記機能を制御させる命令を更に含む、実施態様８に記載の医療デバイスシステム。
【０１６６】
（１１）  前記エネルギ源メモリ記憶構成要素は、前記エネルギ源プロセッサユニットによって実行されたとき、前記エネルギ源コンピューティングデバイスに、前記識別子コードに等しい医療デバイス識別コードに対応する医療デバイス状態インジケータを更新するためのデータを、前記医療デバイスネットワークサーバに送信させる命令を更に含む、実施態様８に記載の医療デバイスシステム。
（１２）  前記ネットワークサーバメモリ記憶構成要素は、前記ネットワークサーバプロセッサユニットによって実行されたとき、前記ネットワークサーバプロセッサユニットに、
前記医療デバイスエネルギ源から、前記識別子コードに等しい前記医療デバイス識別コードに対応する医療デバイス状態インジケータを更新するためのデータを受信させ、
前記識別子コードに等しい前記医療デバイス識別コードに対応する前記データベース内の前記状態インジケータを更新させる、命令を含む、実施態様１１に記載の医療デバイスシステム。
（１３）  前記医療デバイスデータベースは、前記医療デバイスデータベース内の前記医療デバイス識別コードの各々に対応する１つ以上の追加のインジケータを更に含む、実施態様８に記載の医療デバイスシステム。
（１４）  前記エネルギ源メモリ記憶構成要素は、前記エネルギ源プロセッサユニットによって実行されたとき、前記エネルギ源コンピューティングデバイスに、前記エネルギ源メモリ記憶構成要素内に、
全医療デバイスの使用のインジケータ、
前記全医療デバイスの使用の各使用に対する、
前記医療デバイスエネルギ源によって前記医療デバイスに供給される電力量、及び
前記医療デバイスエネルギ源がエネルギの前記量を前記医療デバイスに供給する時間の長さ、のインジケータ、
前記全医療デバイスの使用にわたって前記医療デバイスエネルギ源によって前記医療デバイスに供給される総電力量、
又はそれらの任意の組み合わせ、を記憶させる命令を更に含む、実施態様８に記載の医療デバイスシステム。
（１５）  前記エネルギ源メモリ記憶構成要素は、前記エネルギ源プロセッサユニットによって実行されたとき、前記エネルギ源コンピューティングデバイスに、
前記医療デバイスネットワークサーバから、前記医療デバイスデータベース内の前記医療デバイス識別コードの各々に対応する前記１つ以上の追加のインジケータの値を受信させ、
前記識別子コードに等しい前記医療デバイス識別コードに対応する前記１つ以上の前記追加のインジケータの前記値に基づいて前記エネルギ源の前記機能を制御させる、命令を更に含む、実施態様１４に記載の医療デバイスシステム。
【０１６７】
（１６）  前記ネットワークサーバメモリ記憶構成要素は、前記ネットワークサーバプロセッサユニットによって実行されたとき、前記ネットワークサーバプロセッサユニットに、
前記医療デバイスエネルギ源から、前記医療デバイスデータベース内の前記医療デバイス識別コードの各々に対応する前記１つ以上の追加のインジケータの値を受信させ、
前記医療デバイスデータベース内の前記医療デバイス識別コードの各々に対応する前記１つ以上の追加のインジケータの前記値を更新させる、命令を含む、実施態様１４に記載の医療デバイスシステム。
（１７）  医療デバイスを制御する方法であって、
エネルギ源プロセッサユニットと動作可能に通信するエネルギ源データインターフェースを介して医療デバイスエネルギ源によって、医療デバイスからの識別子コードを受信することと、
前記エネルギ源プロセッサユニットと動作可能に通信しているメモリ源メモリ記憶構成要素に、前記医療デバイスエネルギ源によって、前記識別子コードを記憶することと、
前記エネルギ源プロセッサユニットと動作可能に通信するエネルギ源ネットワーク通信インターフェースを介して前記医療デバイスエネルギ源によって、医療デバイスネットワークサーバから複数の医療デバイス識別コードを受信することと、
前記エネルギ源プロセッサユニットによって、前記識別子コードと前記複数の医療デバイス識別コードの各々とを比較することと、
前記エネルギ源プロセッサユニットによって、前記識別子コードと前記複数の医療デバイス識別コードとの間の前記比較に基づいて、エネルギ源電力インターフェースを介して前記エネルギ源によって前記医療デバイスに送達されるエネルギ量を制御することと、
前記エネルギ源プロセッサユニットを含むエネルギ源コンピューティングデバイスによって動作可能に制御されるユーザディスプレイ上に、前記エネルギ源によって前記医療デバイスに送達された前記エネルギ量に対応する情報を表示することと、を含む、方法。
（１８）  前記医療デバイスエネルギ源によって前記医療デバイスに、前記医療デバイスの少なくとも１つの機能を制御するための制御データを送信することを更に含む、実施態様１７に記載の方法。
（１９）  前記エネルギ源ネットワーク通信インターフェースを介して前記医療デバイスエネルギ源によって、複数の医療デバイス状態インジケータを受信することを更に含み、前記複数の医療デバイス状態インジケータの各々が前記複数の医療デバイス識別コードの各々に対応する、実施態様１７に記載の方法。
（２０）  前記エネルギ源プロセッサユニットによって、前記識別子コードに等しい医療デバイス識別コードに対応する前記医療デバイス状態インジケータに基づいて、前記エネルギ源電力インターフェースを介して前記エネルギ源によって前記医療デバイスに送達されるエネルギ量を制御することを更に含む、実施態様１９に記載の方法。
【０１６８】
（２１）  前記識別子コードに等しい前記医療デバイス識別コードに対応する前記医療デバイス状態インジケータに基づいて、前記医療デバイスエネルギ源によって前記医療デバイスに、前記医療デバイスの少なくとも１つの機能を制御するための制御データを送信することを更に含む、実施態様１９に記載の方法。
【図１Ａ】
2019528096.tif 000003
【図１Ｂ】
2019528096.tif 000004
【図１Ｃ】
2019528096.tif 000005
【図２】
2019528096.tif 000006
【図３Ａ】
2019528096.tif 000007
【図３Ｂ】
2019528096.tif 000008
【図４Ａ】
2019528096.tif 000009
【図４Ｂ】
2019528096.tif 000010
【図５】
2019528096.tif 000011
【図６Ａ】
2019528096.tif 000012
【図６Ｂ】
2019528096.tif 000013
【図６Ｃ】
2019528096.tif 000014
【図６Ｄ】
2019528096.tif 000015
【図７Ａ】
2019528096.tif 000016
【図７Ｂ】
2019528096.tif 000017
【図８Ａ】
2019528096.tif 000018
【図８Ｂ】
2019528096.tif 000019
【国際調査報告】
2019528096.tif 000020
2019528096.tif 000021
2019528096.tif 000022